(57)【要約】  各フレームにおいてグレーレベルを表示するための少なくとも１つのディスプレイ要素を有する電気湿潤ディスプレイデバイスを駆動する方法。方法は、後続のフレーム間の少なくとも１つのディスプレイ要素のグレーレベルの変化を決定する。グレーレベルの変化に応じて、ディスプレイ要素を、ＤＣ駆動またはＡＣ駆動することができる。【選択図】図３
2017501446.tif 000002
【特許請求の範囲】
【請求項１】
ディスプレイ効果を表示するため少なくとも１つのディスプレイ要素を有する電気湿潤ディスプレイデバイスを駆動する方法であって、
前記少なくとも１つのディスプレイ要素によって表示するためディスプレイ効果を表すデータを受信すること、
前記データの特性に応じて、前記少なくとも１つのディスプレイ要素について駆動スキームを選択することであって、前記駆動スキームは、少なくとも、
ａ）ＤＣ駆動スキームであって、ディスプレイ効果を示す前記少なくとも１つのディスプレイ要素に印加される全ての電圧が同じ極性を有する、ＤＣ駆動スキーム、及び、
ｂ）ＡＣ駆動スキームであって、ディスプレイ効果を示す前記少なくとも１つのディスプレイ要素に印加される電圧が、異なる極性を有する少なくとも２つの電圧を含む、ＡＣ駆動スキーム
から選択される、選択すること、
前記選択された駆動スキームを使用して前記ディスプレイ要素を駆動することを含む、方法。
【請求項２】
データを前記受信することは、
前記少なくとも１つのディスプレイ要素によって表示するため第１のディスプレイ効果を表すデータを受信すること、及び、
前記第１のディスプレイ効果の表示に続いて、前記少なくとも１つのディスプレイ要素によって表示するため第２のディスプレイ効果を表すデータを受信することを含み、方法は、
前記第１のディスプレイ効果を表すデータ及び前記第２のディスプレイ効果を表すデータを比較することであって、それにより、前記ディスプレイ効果の変化を指示する差値を決定する、比較することを含み、前記差値は前記データの特性である、請求項１に記載の方法。
【請求項３】
前記差値は、前記少なくとも１つの前記ディスプレイ要素の前記ディスプレイ効果の変化の大きさを表す、請求項２に記載の方法。
【請求項４】
前記電気湿潤ディスプレイデバイスは複数のディスプレイ要素を有し、前記差値は、規定の変化より大きいディスプレイ効果の変化を有するディスプレイ要素の数を表す、請求項２に記載の方法。
【請求項５】
前記電気湿潤ディスプレイデバイスは複数のディスプレイ要素を有し、方法は、前記ディスプレイ要素のディスプレイ効果の前記変化をヒストグラムで配列し、前記ヒストグラムから前記データの特性を導出することを含む、請求項２に記載の方法。
【請求項６】
ＤＣ駆動中に前記ディスプレイ要素にリセットパルスを印加することであって、それにより、前記ディスプレイ要素内の逆流を低減する、印加することを含む、請求項１に記載の方法。
【請求項７】
前記データは、複数のフレームについて前記少なくとも１つのディスプレイ要素によって表示するためのディスプレイ効果を表し、前記ＡＣ駆動スキームは、後続のフレームの間で前記ディスプレイ要素に印加される電圧の極性を変更する、請求項１に記載の方法。
【請求項８】
少なくとも１つのプロセッサ及びコンピュータプログラム命令を含む少なくとも１つのメモリを備える電気湿潤ディスプレイデバイス用のディスプレイコントローラであって、
前記ディスプレイデバイスは、ディスプレイ効果を表示するための少なくとも１つのディスプレイ要素を含み、
前記少なくとも１つのメモリ及び前記コンピュータプログラム命令は、前記少なくとも１つのプロセッサによって、前記ディスプレイデバイスを駆動する方法を前記ディスプレイコントローラに実施させるように構成され、前記方法は、
前記少なくとも１つのディスプレイ要素によって表示するためディスプレイ効果を表すデータを受信すること、
前記データの特性に応じて、前記少なくとも１つのディスプレイ要素について駆動スキームを選択することであって、前記駆動スキームは、少なくとも、
ａ）ＤＣ駆動スキームであって、ディスプレイ効果を示す前記少なくとも１つのディスプレイ要素に印加される全ての電圧が同じ極性を有する、ＤＣ駆動スキーム、及び、
ｂ）ＡＣ駆動スキームであって、ディスプレイ効果を示す前記少なくとも１つのディスプレイ要素に印加される電圧が、異なる極性を有する少なくとも２つの電圧を含む、ＡＣ駆動スキーム
から選択される、選択すること、
前記選択された駆動スキームを使用して前記ディスプレイ要素を駆動することを含む、ディスプレイコントローラ。
【請求項９】
前記データの前記特性は、前記少なくとも１つのディスプレイ要素を駆動するフレームレートを表し、前記フレームレートは、前記少なくとも１つのディスプレイ要素のディスプレイ効果を変更するために前記少なくとも１つのディスプレイ要素を連続的にアドレス指定するレートを示す、請求項１に記載の方法または請求項８に記載のディスプレイコントローラ。
【請求項１０】
方法は、前記フレームレートが規定のフレームレートより低いときに前記ＤＣ駆動スキームを選択し、前記フレームレートが規定のフレームレート以上であるときに前記ＡＣ駆動スキームを選択することを含む、請求項９に記載の方法または請求項９に記載のディスプレイコントローラ。
【請求項１１】
データを前記受信することは、
前記少なくとも１つのディスプレイ要素によって表示するため第１のディスプレイ効果を表すデータを受信すること、及び、
前記第１のディスプレイ効果の表示に続いて、前記少なくとも１つのディスプレイ要素によって表示するため第２のディスプレイ効果を表すデータを受信することを含み、前記方法は、
前記第１のディスプレイ効果を表すデータ及び前記第２のディスプレイ効果を表すデータを比較することであって、それにより、前記ディスプレイ効果の変化を指示する差値を決定する、比較することを含み、前記差値は前記データの特性である、請求項８に記載のディスプレイコントローラ。
【請求項１２】
前記差値は、前記少なくとも１つの前記ディスプレイ要素の前記ディスプレイ効果の変化の大きさを表す、請求項１１に記載のディスプレイコントローラ。
【請求項１３】
前記電気湿潤ディスプレイデバイスは複数のディスプレイ要素を有し、前記差値は、規定の変化より大きいディスプレイ効果の変化を有するディスプレイ要素の数を表す、請求項１１に記載のディスプレイコントローラ。
【請求項１４】
前記電気湿潤ディスプレイデバイスは複数のディスプレイ要素を有し、前記方法は、前記ディスプレイ要素のディスプレイ効果の前記変化をヒストグラムで配列し、前記ヒストグラムから前記データの特性を導出することを含む、請求項１１に記載のディスプレイコントローラ。
【請求項１５】
ＤＣ駆動中に前記ディスプレイ要素にリセットパルスを印加して、前記ディスプレイ要素内の逆流を低減するように構成される、請求項８に記載のディスプレイコントローラ。
【請求項１６】
前記データは、複数のフレームについて前記少なくとも１つのディスプレイ要素によって表示するためのディスプレイ効果を表し、ディスプレイコントローラは、前記ＡＣ駆動スキーム中、後続のフレームの間で前記少なくとも１つのディスプレイ要素に印加される電圧の極性を変更するように構成される、請求項８に記載のディスプレイコントローラ。
【発明の詳細な説明】
【技術分野】
【０００１】
本発明は、ディスプレイ駆動方法に関する
【背景技術】
【０００２】
ディスプレイコントローラ及びディスプレイデバイスを有する電気湿潤ディスプレイ装置が知られている。こうしたディスプレイデバイスのディスプレイ要素は２つの浸漬可能な流体を含む。流体の構成は、ディスプレイ要素に電圧を印加することによって制御され、それにより、ディスプレイ効果を形成することができる。データがディスプレイコントローラに入力されると、ディスプレイ要素を、データ、例えばビデオ画像を表示するように制御することができる。
【０００３】
ディスプレイ装置の電力消費を低減することが望ましい。
【発明の概要】
【課題を解決するための手段】
【０００４】
各フレームにおいてグレーレベルを表示するための少なくとも１つのディスプレイ要素を有する電気湿潤ディスプレイデバイスを駆動する方法。方法は、後続のフレーム間の少なくとも１つのディスプレイ要素のグレーレベルの変化を決定する。グレーレベルの変化に応じて、ディスプレイ要素を、ＤＣ駆動またはＡＣ駆動することができる。
【図面の簡単な説明】
【０００５】
【図１】例示的なディスプレイデバイスを概略的に示す図である。
【図２】例示的なディスプレイ装置の略断面図である。
【図３】例示的なディスプレイ装置を概略的に示す図である。
【図４】アクティブマトリクス駆動方法の線図である。
【図５】ＤＣ−ＡＣ駆動方法の電圧線図である。
【図６】方法の一実施形態を概略的に示す図である。
【図７】２つのフレーム間のディスプレイ効果の変化のヒストグラムである。
【図８】行インタリーブ駆動方法のステージを概略的に示す図である。
【図９ａ】行インタリーブ式駆動方法の線図である。
【図９ｂ】行でないインタリーブ式の駆動方法の線図である。
【図９ｃ】行インタリーブ式駆動方法の線図である。
【図１０ａ】カラーレンダリングのためのサブディスプレイ要素のレイアウトを示す図である。
【図１０ｂ】カラーレンダリングのためのサブディスプレイ要素のレイアウトを示す図である。
【図１１】アナログパルス幅変調駆動方法の線図である。
【図１２】複数データ書込み駆動方法の線図である。
【発明を実施するための形態】
【０００６】
以下の詳細な説明は、その中で、種々の実施形態に共通の概念が提示されることになる一般的な駆動方法をまず述べる。詳述される以下の実施形態は、４つのクラスにグループ化され、各グループは、クラスについて実施形態の特徴を述べる。実施形態はクラスにグループ化されるが、１つのクラスの実施形態について開示される技法及び特徴は、他のクラスの１つ又は複数のクラスの実施形態に関して一般に含まれる可能性がある。１つのクラスの実施形態提において提供される技法及び特徴の改善は、同様に、他のクラスの１つ又は複数のクラスの実施形態に含まれる場合がある。
一般的なディスプレイ駆動方法
【０００７】
図１は、電気湿潤デバイスの一例の一部の線図的断面図を示す。この例において、デバイスは、複数の電気湿潤セルを含む電気湿潤ディスプレイデバイス１であり、電気湿潤セルは、その中の１つが図に示されるディスプレイ要素２である。ディスプレイ要素の横方向広がりは、２つの破線３、４によって図に示される。ディスプレイ要素は、第１の支持プレート５及び第２の支持プレート６を備える。支持プレートは、各ディスプレイ要素の別個の部分である場合があるが、支持プレートは、複数のディスプレイ要素によって共有される場合がある。支持プレートは、ガラスまたはポリマー基材６、７を含む場合があり、また、剛性または可撓性がある場合がある。
【０００８】
ディスプレイデバイスは、ディスプレイデバイスによって形成される画像またはディスプレイをその上で観察することができる観察側面８及び後側面９を有する。図において、第１の支持プレート５は後側面９を規定し、第２の支持プレート６は観察側面を規定し、代替的に、第１の支持プレートは観察側面を規定する場合がある。ディスプレイデバイスは、反射型、透過型、またはトランスフレクチブ（反射型、透過型を兼ねたタイプ）であるとすることができる。ディスプレイデバイスは、セグメント化ディスプレイ型であるとすることができ、セグメント化ディスプレイ型において、それぞれが幾つかのディスプレイ要素を含むセグメントから画像を構築することができる。ディスプレイデバイスは、アクティブマトリクス駆動式ディスプレイデバイス、直接駆動ディスプレイデバイス、またはパッシブ駆動式ディスプレイデバイスである場合がある。複数のディスプレイ要素は単色であるとすることができる。カラーディスプレイデバイスの場合、ディスプレイ要素を、グループであって、それぞれが異なるカラーを有するグループに分割することができ、代替的に、個々のディスプレイ要素は、異なるカラーを示すことができる場合がある。
【０００９】
支持プレート間の空間１０は、２つの流体、すなわち、その一方が液体である場合がある第１の流体１１及び第２の流体１２で充填される。第２の流体は、第１の流体に浸漬可能である。第２の流体は、電気的伝導性があるかまたは極性があり、また、水または水中の塩化カリウムの溶液等の塩類溶液であるとすることができる。第２の流体は、透明である場合があるが、代わりに、着色済み、白、吸収性、または反射性がある場合がある。第１の流体は、電気的非伝導性であり、また、例えば、ヘキサデカンのようなアルカンである場合がある、または、シリコーンオイル等のオイルである場合がある。
【００１０】
第１の流体は、光スペクトルの少なくとも一部を吸収する。第１の流体は、光スペクトルの一部について透過性があり、カラーフィルタを形成することができる。この目的のために、第１の流体を、顔料粒子または染料の添加によって着色することができる。代替的に、第１の流体は、黒である、すなわち、光スペクトルの実質的に全ての部分を吸収する、または、反射性がある場合がある。反射性の第１の流体は、全可視スペクトルを反射し、層を白く見えるようにさせる、または、その一部は、層を、カラーを持つようにさせる。
【００１１】
支持プレート５は絶縁層１３を含む。絶縁層は透明性または反射性がある場合がある。絶縁層１３は、ディスプレイ要素の壁の間に延在することができる。第２の流体１２と、絶縁層の下に配列された電極との間の短絡を回避するため、絶縁層の複数の層が、図に示すように、複数のディスプレイ要素２にわたって遮断されず延在することができる。絶縁層は、ディスプレイ要素２の空間１０を向く表面１４を有する。この例では、表面１４は疎水性である。絶縁層の厚さは、２マイクロメートル未満である場合があり、また、１マイクロメートル未満である場合がある。
【００１２】
絶縁層は、疎水性層である場合があり、代替的に、絶縁層は、図に示すように、疎水性層１５及び所定の誘電体特性を有する障壁層１６を含む場合があり、疎水性層１５は空間を１０向く。疎水性層は、図１に概略的に示され、Ｔｅｆｌｏｎ（登録商標）ＡＦ１６００で形成することができる。障壁層１６は、１００ナノメートル及び１５０ナノメートルとの間の、基材の平面に垂直な方向に採取された厚さを有することができ、また、酸化シリコンか、窒化シリコンか、またはこれらの積重体（例えば、酸化シリコン−窒化シリコン−酸化シリコン）のような無機材料、或は、ポリイミドまたはパリレンのような有機材料から作ることができる。障壁層は、異なる誘電率を有する複数の層を備えることができる。
【００１３】
表面１４の疎水性特徴は、第１の流体１１に、絶縁層１３に優先的に付着させる。その理由は、第１の流体が、第２の流体に比べて、絶縁層１３の表面に関して高い湿潤性を有するからである。湿潤性は、固体の表面についての流体の相対的親和性に関連する。湿潤性を、流体と固体の表面との間の接触角によって測定することができる。接触角は、流体−固体境界における流体と固体との間の表面張力の差によって決定される。例えば、表面張力の大きな差は疎水性特性を示す可能性がある。
【００１４】
各要素２は、支持プレート５の一部として電極１７を含む。図示する例において、１要素について１つのこうした電極１７が存在する。電極１７は、絶縁層１３によって流体から分離され、近傍のディスプレイ要素の電極は非伝導性層によって分離される。幾つかの例において、更なる層（複数）を、絶縁層１３と電極１７との間に配列することができる。電極１７は、任意の所望の形状または形態である可能性がある。ディスプレイ要素の電極１７は、図に概略的に示す信号ライン１８によって電圧信号を供給される。第２の信号ライン１９は、伝導性の第２の流体１２と接触状態にある電極２５に接続される。全ての要素が、壁によって遮断されず、第２の流体によって流体的に相互接続されかつ第２の流体を共有するとき、この電極は、全ての要素に共通であるとすることができる。ディスプレイ要素２は、信号ライン１８と１９との間に印加される電圧Ｖによって制御される可能性がある。基材７上の電極１７はディスプレイ制御装置に結合される。行と列で配列されるマトリクス形態で配列されるディスプレイ要素を有するディスプレイデバイスにおいて、電極は基材７上の制御ラインのマトリクスに結合される可能性がある。
【００１５】
第１の流体１１は、この例において、ディスプレイ要素の断面に続く壁２０によって１つのディスプレイ要素に制限される。ディスプレイ要素の断面は、任意の形状を有することができ、ディスプレイ要素がマトリクス形態で配列されるとき、断面は、通常、正方形かまたは長方形である。壁は、絶縁層１３から突出する構造として示されるが、代わりに、親水性かまたは疎水性の低い層等の、第１の流体をはじく支持プレートの表面層である場合がある。壁は、第１の支持プレートから第２の支持プレートまで延在することができるが、代わりに、図１に示すように、第１の支持プレートから第２の支持プレートまで部分的に延在することができる。破線３及び４で示すディスプレイ要素の広がりは、壁２０の中心によって規定される。破線２１及び２２で示すディスプレイ要素の壁の間の表面のエリア１４は、ディスプレイエリア２３と呼ばれ、ディスプレイエリア２３にわたって、観察側面８から観測されるディスプレイ効果が起こる。
【００１６】
電圧が印加されないとき、第１の流体１１は、ディスプレイエリア２３の広がりの上に層を形成し、ディスプレイ要素はクローズ状態になる。電圧が電極１７、２５に印加されると、第１の流体は収縮することになり、収縮は、より高い電圧の場合に強くなる。ディスプレイ要素は、ここでオープン状態になる。完全に収縮した第１の流体が、参照２４によって図１に示される。
【００１７】
ディスプレイ効果は、上述した印加電圧Ｖの大きさに応じて、ディスプレイエリアによって規定される表面に第１の流体及び第２の流体が隣接する広がりに依存する。したがって、印加電圧Ｖの大きさは、電気湿潤セル内の第１及び第２の流体の構成を決定する。電気湿潤セルを１つの流体構成から異なる流体構成に切換えるとき、ディスプレイエリアに隣接する第２の流体の広がりが減少または増加することができ、そのとき、ディスプレイエリアに隣接する第１の流体の広がりがそれぞれ減少または増加する
【００１８】
図２は、第１の例示的な電気湿潤ディスプレイ装置２０１を概略的に示す。いわゆる直接駆動型のこの例において、ディスプレイ装置は、ディスプレイ駆動システム２０２及びディスプレイデバイス２０３を含む。表示されるデータは、入力ライン２０４を介してディスプレイ駆動システムに入力される。ディスプレイ駆動システムは、データを処理し、信号を信号ライン２１８上に出力して、ディスプレイデバイス２０３を駆動する。ディスプレイ駆動システム２０２は、ディスプレイコントローラ２０６及びディスプレイドライバ２０７を含む。ディスプレイコントローラは、入力ライン２０４を介して入力されるデータ処理するために少なくとも１つのプロセッサ２０８を含む。プロセッサは、コンピュータプログラム命令を含むことができる少なくとも１つのメモリ２０９に接続され、コンピュータプログラム命令は、少なくとも１つのメモリ及び少なくとも１つのプロセッサによって、ディスプレイコントローラが、本明細書で述べる実施形態による方法を実施するようにさせる。更に、非一時的コンピュータ可読記憶媒体を含むコンピュータプログラム製品を提供することができ、コンピュータ可読命令は、コンピュータ化デバイスによって実行可能であり、本明細書で述べる実施形態に従って駆動する方法をコンピュータ化デバイスに実施させる。
【００１９】
ディスプレイコントローラは、ディスプレイデバイスで使用するためのデータを準備する。プロセッサ２０８の出力は、ライン２１０によってディスプレイドライバ２０７に接続され、ディスプレイドライバ２０７は、信号を、ディスプレイデバイス２０３用の適切な電圧に変換するドライバステージを含む。ディスプレイドライバはまた、ディスプレイドライバに入力されるシリアル信号をパラレル信号に変更して、ディスプレイデバイス２０３の電極の電圧を制御する。
【００２０】
図２は、ディスプレイデバイス２０３を平面図で示す。ディスプレイデバイスは、格子の小さな正方形で表される複数の電気湿潤セル２１１を含む。電気湿潤セル２１１は、図１に概略的に示すように電気湿潤セルの構造を有することができる。ディスプレイデバイス２０３の下側支持プレートは電極２１７を含み、電極２１７は、図１に示すように各セルについて別々に制御可能である場合がある、または、複数のセルが同時に駆動されるように複数のセルについて接続される場合がある。図２は、それぞれが複数のセルをカバーするハッチングされた電極２１７を示す。電極２２５は、ディスプレイデバイスの共有される第２の流体に電気接続され、電極２２５は、次に、共通信号ライン２１９によってディスプレイドライバ２０７に接続される。ディスプレイ効果は、電極２２５とそのセルの電極２１７との間の電圧を制御することによって各電気湿潤セル内で得られる可能性がある。
【００２１】
ディスプレイドライバ２０７及びおそらくはディスプレイコントローラ２０６は、図１に示す支持プレート５のうちの１つの支持プレート上に実装することができる回路内に統合することができる。図１のディスプレイデバイス３内の電気湿潤セル２１１及び電極２６は、０から１９の数字を表示するための数値ディスプレイデバイスを構成する。図１に示す数値ディスプレイデバイスは、直接駆動型のディスプレイデバイスの簡単な例である。例えば、白黒またはカラーで、文字、シンボル、または画像を示す多くの他の電極構成が実行可能である。各電極は、電極上の電圧を制御する、ディスプレイドライバ７内のドライバステージ（図１には示さず）に直接接続される。直接駆動ディスプレイの電気湿潤セル内の電極は、電気湿潤セルがディスプレイ効果を示す間ずっとドライバステージに接続される。１つの電極２６によって制御される電気湿潤セルのグループは、ディスプレイ要素として働き、構成する電気湿潤セルは、サブディスプレイ要素と呼ばれる。静的または動的画像を提供する等のためのディスプレイ効果の表示中に、各電極２６上の電圧は、ディスプレイドライバ７によって永久的にかつ同時に制御される。
【００２２】
図３は、第２の例示的な湿潤ディスプレイ装置３１を概略的に示す。いわゆるアクティブマトリクス駆動型のこの例において、ディスプレイ装置は、ディスプレイ駆動システム及びディスプレイデバイス３２を含む。ディスプレイ駆動システムは、ディスプレイコントローラ３３、ディスプレイ行ドライバ３４、及びディスプレイ列ドライバ３５を含む。表示されるデータは、入力ライン３６を介してディスプレイ駆動システムに入力される。ディスプレイコントローラは、入力ライン３６を介して入力されるデータを処理するためにプロセッサ３７を含む。プロセッサは、少なくとも１つのメモリ３８に接続される。ディスプレイコントローラは、ディスプレイデバイスで使用するためにデータを準備する。
【００２３】
プロセッサ３７の出力は、ライン３９によってディスプレイ行ドライバ３４に接続され、ディスプレイ行ドライバ３４は、信号を、ディスプレイデバイス３２用の適切な電圧に変換する行ドライバステージ４０を含む。行信号ライン４１は、行ドライバステージ４０をディスプレイデバイス３２の行に接続し、行選択信号をディスプレイデバイスの各行に提供する。
【００２４】
プロセッサ３７の別の出力は、ライン４２によってディスプレイ列ドライバ３５に接続され、ディスプレイ列ドライバ３５は、信号を、ディスプレイデバイス３２用の適切な電圧に変換する列ドライバステージ４３を含む。列信号ライン４４は、列ドライバステージをディスプレイデバイス３２の列に接続し、列信号をディスプレイデバイスの各列に提供する。
【００２５】
ディスプレイドライバは、ディスプレイドライバに入力されるデータを、ドライバステージに接続された複数の出力にわたって分配するための、図３に示さない分配器を備えることができる。分配器は、シフトレジスタであるとすることができる。図３は、図に示すディスプレイデバイスの列及び行だけのための信号ラインを示す。行ドライバを単一集積回路に統合することができる。同様に、列ドライバを単一集積回路に統合することができる。集積回路は、完全なドライバアセンブリを含むことができる。集積回路を、ディスプレイデバイスの支持プレート５または６上で統合することができる。集積回路は、全ディスプレイ駆動システムを含むことができる。
【００２６】
ディスプレイデバイス３２は、マトリクスで配列される複数のディスプレイ要素を備える。図３は、ｋ〜ｋ＋４とラベル付けられた５つの行及びｌ〜ｌ＋３とラベル付けられた４つの列用のディスプレイ要素を示す。共通ディスプレイデバイス用の行及び列の総数は、数百と数千との間の範囲にある場合がある。列ｌの、ピクセルとも呼ばれるディスプレイ要素は、ｍ〜ｍ＋４とラベル付けされる。各ディスプレイ要素は、図２の電気湿潤セル２０、２１、２２と同じ構造を有することができる。
【００２７】
ディスプレイデバイス３２の各ディスプレイ要素は、１つまたは複数のトランジスタの形態のアクティブ要素を含む。トランジスタは薄膜トランジスタであるとすることができる。トランジスタはスイッチとして動作する。ディスプレイ要素の電極は、電極１７及び２５を有するキャパシタＣｐとして示される。キャパシタの電極２５をグラウンドに接続するラインは図１に示す共通信号ライン１９であり、キャパシタの電極１７をトランジスタに接続するラインは図１に示す信号ライン１８である。ディスプレイ要素は、貯蔵のために、または、状態を保持する継続時間または要素に印加される電圧をディスプレイデバイスにわたって均一にするためにオプションのキャパシタＣｓを含むことができる。このキャパシタは、Ｃｐと並列に配列され、図３では別々に示されない。列ドライバは、ディスプレイ要素用の入力データに対応する信号レベルを提供する。行ドライバは、特定のディスプレイ効果においてその要素がセットされる行を選択するための信号を提供する。行を選択することは、行のディスプレイ要素のトランジスタをクローズ状態に切換える信号を行の信号ライン上に置くことを意味する。行の選択は、アクティブマトリクスディスプレイデバイスにおけるディスプレイ要素のアドレス指定の一部である。特定のディスプレイ要素は、特定のディスプレイ要素が位置する列に電圧を印加し、特定のディスプレイ要素が位置する行を選択することによってアドレス指定される。
【００２８】
ディスプレイ要素のトランジスタが、その行選択信号上でパルスを受信すると、トランジスタは、伝導し、その列ドライバの信号レベルを電気湿潤セルの電極１７に渡す。トランジスタがオフされた後、セルにわたる電圧は、ディスプレイ要素用の次の行選択信号によってトランジスタが再びオンされるまで、実質的に維持されることになる。トランジスタがその間オフされている時間は、要素の保持状態と呼ばれる。このアクティブマトリクス駆動方法において、電気湿潤セルの電極は、電気湿潤セルがその間に或るディスプレイ効果を示す期間の開始時に一時的に駆動ステージに接続される。この接続中に、所望のディスプレイ効果に関連する電圧が電極に印加される。電気湿潤セルがドライバステージから外された後、電極上の電圧は、電気湿潤セルがその間にディスプレイ効果を示す期間中に１つまたは複数のキャパシタによって実質的に維持される。ディスプレイ要素が少なくとも１つのアクティブ要素、例えばトランジスタを含むため、方法は「アクティブ」と呼ばれる。
【００２９】
図４は、アクティブマトリクスディスプレイデバイスにおいてディスプレイ要素を駆動する例示的な方法の線図を示す。方法は、一連のフレーム中に画像を表示する。例えば、一画像は、一フレームの継続時間中に表示される。一フレーム中に、ディスプレイデバイスの全てのディスプレイ要素をアドレス指定することができ、マトリクスにおいて、ディスプレイデバイスのマトリクスの全ての行が一フレーム中にアドレス指定または選択される。図４は、２つの連続するフレームｐ及びｐ＋１について時間ｔの関数として２つの列信号Ｖｌ及びＶｌ＋１並びに５つの行選択信号Ｖｋ、…、Ｖｋ＋４を示す。
【００３０】
図４においてフレームｐの開始時に示すように、行ｋが行選択信号ｋ上のパルスによって選択されるとき、行ｋの各ディスプレイ要素内のトランジスタは、伝導し、列信号ライン４４の各ライン上の電圧が、行ｋ内の各ディスプレイ要素の電極２６上に置かれることになる。その後、ディスプレイ列ドライバ３５は、列信号ライン上の電圧を行ｋ＋１について必要とされる値に変更する。行ｋ＋１が行選択信号ｋ＋１上のパルスによって選択されると、電圧が、行ｋ＋１のディスプレイ要素の電極２６上に置かれる。ディスプレイデバイスの全ての行は、フレームｐにおいて同様な方法で選択されることになる。行を選択するプロセスは、続くフレームｐ＋１において再び開始する。
第１のクラスの実施形態
【００３１】
ディスプレイ要素を、ＤＣ駆動スキームによって制御することができ、ＤＣ駆動スキームにおいて、ディスプレイ要素によって示されるディスプレイ効果を指示する、ディスプレイ要素１７及び２５に印加される全ての電圧は、所定に時間にわたって、すなわち、一フレーム以内及び後続のフレームにおいて同じ極性を有する。こうした方法は、ＤＣ駆動または直流駆動と呼ばれる。ディスプレイ効果を指示しない電気湿潤セルに印加される電圧は、ディスプレイ効果を指示する電圧と同じかまたは異なる極性を有することができる。ディスプレイ効果を指示しない電圧の例は、観測者の目が見ることができるディスプレイ効果を電圧がもたらさないような、非常に短い期間、ディスプレイセルの電極に印加される電圧、例えば、ディスプレイ要素にリセットパルスを印加するために使用される電圧である。
【００３２】
逆流を回避するため、リセットパルスを提供することができる。逆流は、オープン状態用の電圧が印加されているにもかかわらず、電気湿潤セル内の第１の流体がディスプレイ要素のクローズ状態の構成に戻るように流れる傾向である。リセットパルスは、例えば、逆流を低減するのに十分に長いが、観測可能なディスプレイ効果を提供しない程度に依然として十分に短い継続時間の間、印加電圧をゼロまで減少させることができる。図５は、リセットパルスの使用例を示す。図５は、幾つかの連続するフレームの間の、電気湿潤セルの電極２９と電極２６との間の電圧Ｖｅの線図を示す。フレームは、水平軸に沿って番号付けされる。最初の２つのフレームはＤＣ駆動を示す。フレーム１はリセットパルスを有さず、フレーム２はフレームの開始時にリセットパルス５０を有する。リセットパルスは、この例において、ゼロへの印加電圧の短い規定外変動である。リセットの印加は、比較的短い期間内の２つのアドレス指定動作を必要とする。アクティブマトリクス法において、フレームは、全てのディスプレイ要素をアドレス指定し、それらをリセット電圧にセットする第１のサブフレーム、及び、全てのディスプレイ要素をやはりアドレス指定し、それらを、要求されるディスプレイ効果用の電圧にセットする第２のサブフレームを含むことになり、第１及び第２のサブフレームは、リセットパルスの継続時間が短いため共に比較的接近している。
【００３３】
ディスプレイ装置に入力されるデータが、ＤＣ駆動式ディスプレイ要素のディスプレイ効果の大きくかつ頻繁な変化を要求するとき、ぼけを回避するため、短い継続時間のフレームが必要とされる場合がある。短期間フレームと組合せた余分のアドレス指定動作によるリセットパルスの印加は、ディスプレイ列ドライバ３５に高い要求を課し、高い電力消費をもたらす。
【００３４】
以下で述べる方法の実施形態は、ＤＣ駆動スキームとＡＣ駆動スキームとの間で選択を行う。しかし、より多くの駆動スキームを付加することができ、その中から選択が行われる可能性がある。同時に適用される可能性がある幾つかの駆動スキームを、共に選択することができる。
【００３５】
ＡＣ駆動スキームにおいて、ディスプレイ要素の電極に印加され、かつ、ディスプレイ要素のディスプレイ効果を指示する電圧は異なる極性を有する少なくとも２つの電圧を含む。こうしたスキームは、一定間隔で電極に印加される電圧の極性を変更することができる。電気湿潤セル内の第１の流体の移動が、ＤＣ駆動の場合よりＡＣ駆動の場合に速いため、ディスプレイ要素は、ＤＣ駆動を使用することに比べてＡＣ駆動を使用するときに、ディスプレイ効果の大きくかつ頻繁な変化を表すデータに対するよりよい応答を示すことになる。
【００３６】
極性の反転は、電気湿潤セル内の逆流を減少させる。したがって、この駆動方法を使用するときリセットパルスを省略することができ、余分のアドレス指定動作が適用される必要はない。ディスプレイ列ドライバ３５に対する要求の減少は、動きを有する画像の切換えを改善するためにより短いフレームの使用を可能にする。
【００３７】
ＤＣ駆動とＡＣ駆動との間で選択する可能性がある上記方法は、ＡＣ駆動を使用する方法より少ない電力を消費する場合がある。ＡＣ駆動は、ディスプレイ効果の大きくかつ頻繁な変化と小さくかつゆっくりした変化の両方を適切に表示することができるが、ＤＣ駆動より多くのエネルギーを消費する場合がある。上記方法は、大きくかつ頻繁な変化に対する適切な応答のためにＡＣ駆動を、また、小さくかつゆっくりした変化の表示中の低電力消費のためにＤＣ駆動を使用する。
【００３８】
ＡＣ駆動スキームは、印加電圧の極性がそれぞれの後続のフレームについて変化する、図５のフレーム３、４、及び５に示すように実装される可能性がある。ＡＣ駆動の別の実施形態は、図５のフレーム６〜８に示される。この実施形態において、フレームは、接尾辞ａ及びｂで示す２つのサブフレームに分割され、同じ電圧レベルが両方のサブフレームにおいて電気湿潤セルに印加される。しかし、極性がサブフレーム間で変化する。ディスプレイ効果は、両方のサブフレームにおいて実質的に同じであることになる。その理由は、ディスプレイ効果が、印加電圧の極性によってほとんど影響を受けないからである。更なる実施形態において、一フレームについてのサブフレームの数は、３か、４か、それ以上に増加する可能性がある。
【００３９】
図９及び１０は、ＤＣ駆動スキームからＡＣ駆動スキームへの移行を示す。駆動スキームは、一フレームについて２つのサブフレームを使用する。ディスプレイ要素は、サブフレーム９ａと９ｂの両方において同じ極性を有する、ディスプレイ効果を指示する、同じ電圧を印加することによってフレーム９においてＤＣ駆動される。フレーム９とフレーム１０との間で、ディスプレイコントローラは、ＤＣ駆動からＡＣ駆動に切換える。サブフレーム１０ａにおいて、或る極性を有する電圧レベルがディスプレイ要素に印加され、サブフレーム１０ｂにおいて、反対の極性を有する同じ電圧レベルが印加される。極性の変化はまた、１つのフレームから次のフレームへの移行時に起こる場合がある。例えば、極性の変化は、サブフレーム９ｂからサブフレーム１０ａへの移行時に起こり、サブフレーム１０ａの電圧が負極性を有するようにさせることができる。
【００４０】
サブフレームを、フレーム間データを表示するために使用することができる。データの変化が、後続のフレーム間で大きいとき、ディスプレイコントローラは、後続のフレーム間で補間することによって中間データまたはフレーム間データを形成する可能性がある。フレーム間データは、一サブフレーム中にディスプレイ要素上にセットされる可能性がある。こうした実施形態において、一フレーム内のサブフレームは、もはや同じレベルの印加電圧を有する必要はない。
【００４１】
ＡＣ駆動スキームは、ディスプレイドライバ２０７が、次のフレームまたはサブフレームに移動するときに信号ライン２１８上で電圧の極性を変更するようにさせることによって図２に示すように直接駆動方法で実装される可能性がある。アクティブマトリクス法における実装は、図４のフレームｐ＋１における列信号Ｖｌ及びＶｌ＋１の極性を変更することによって行われる可能性がある。結果として、ディスプレイ要素Ｍ〜Ｍ＋４に印加される電圧は、フレームｐとフレームｐ＋１との間で極性を変更することになる。別の実施形態において、各フレームは２つ以上のサブフレームに分割される可能性があり、各サブフレームは、同じ電圧レベル及び直前のサブフレームの極性に関して反転された極性を印加する。
【００４２】
ディスプレイデバイスの駆動がＡＣ駆動からＤＣ駆動に切換えられるとき、交互の極性を有する電圧はもはや印加されないが、同じ極性を有する電圧が印加される。ＤＣ駆動からＡＣ駆動に切換えるとき、同じ極性を有する電圧はもはや印加されないことになるが、変化する極性を有する少なくとも２つの電圧が印加される。
【００４３】
例において、ディスプレイ要素のための駆動スキームの選択は、ディスプレイ要素が表示するためのディスプレイ効果を表すデータの特性に応じて行われる。
【００４４】
駆動スキームの選択のために使用されるデータの特性は、ディスプレイ要素を駆動するフレームレート、または、ディスプレイ要素上で表示するための新しいデータが、ディスプレイ装置の入力ライン上に入力されるレートである場合がある。フレームレートは、ディスプレイ要素のディスプレイ効果を変更するため、ディスプレイ要素を連続的にアドレス指定するレートを指示する。
【００４５】
図６は、いわゆるＤＣ−ＡＣ駆動方法の例を概略的に示す。表示されるディスプレイ効果を表すデータのフレームレートが決定されると、フレームレートが予め規定されたフレームレートより小さいときＤＣ駆動スキームが使用されることになり、フレームレートが予め規定されたフレームレート以上であるときＡＣ駆動スキームが使用されることになる。予め規定されたフレームレートは、例えば２０Ｈｚであるとすることができる。駆動スキームの選択を、ディスプレイコントローラ２０６または３３において行うことができる。ディスプレイ装置のユーザが、ディスプレイ装置の制御を起動し、駆動スキームを、本のページ等の静的コンテンツを表示するためのＤＣ駆動及びビデオ等の動的コンテンツを表示するためのＡＣ駆動にマニュアルでセットする可能性があることも考えられる。
【００４６】
駆動スキームの選択のために使用されるデータの特性は、ディスプレイ要素の後続のディスプレイ効果の間のディスプレイ効果の変化を表す差値であるとすることができる。その特性を使用する一実装形態において、ディスプレイコントローラは、ディスプレイ要素が表示するため第１のディスプレイ効果を表すデータ及び第２のディスプレイ効果を表すデータを受信する。ディスプレイコントローラは、第１のディスプレイ効果を表すデータと第２のディスプレイ効果を表すデータを比較し、ディスプレイ要素のディスプレイ効果の変化を指示する差値を決定する。駆動方法の選択は、この差値に基づくことができる。例えば、ディスプレイ効果の変化が大きいとき、ＡＣ駆動スキームが選択される場合があり、ディスプレイ効果の変化が小きいとき、ＤＣ駆動スキームが選択される場合がある。
【００４７】
複数のフレームで画像を表示するため、複数のディスプレイ要素を有するディスプレイデバイスを駆動するとき、ディスプレイ効果の変化は、２つの後続するフレーム間で全てのディスプレイ要素について決定される可能性がある。２つのフレームは、１つのフレームが他のフレームに続き、ゼロを含む任意の数のフレームが両者の間に存在する場合がある場合、後続的であると考えることができる。対照的に、２つのフレームは、１つのフレームが他のフレームに、両者間に他のフレームがない状態ですぐさま続く場合、連続的であると考えることができる。ディスプレイ効果を表す第１のフレームのデータは、ディスプレイコントローラ３３のメモリ３８に格納される。このデータは、ディスプレイコントローラのプロセッサ３７内で、ディスプレイ効果を表す第２の後続のフレームのデータと比較される。２つのフレーム内のディスプレイ効果の間の差は、ＡＣまたはＤＣ駆動を選択するために使用される特性として使用される可能性がある。一例において、選択は、ディスプレイ要素のほとんどがわずかな量だけディスプレイ効果を変化させるときに少数のディスプレイ要素だけがディスプレイ効果の大きな差を示すときにＡＣ駆動が使用されないように実施されるべきである。
【００４８】
２つのフレーム間のディスプレイ効果の変化を指示する差値は、種々の方法で決定される可能性がある。
【００４９】
差値を、第１のフレームと第２のフレームとの間のディスプレイ効果の変化の大きさまたは第１のフレームと第２のフレームとの間のディスプレイ効果の相対的変化に基づいて決定することができる。例えば、ディスプレイ状態は、グレーレベルの形態の２５６のディスプレイ効果、例えば、１から２５６まで番号付けられたディスプレイ効果強度レベルのうちの任意の１つであるとすることができ、１はディスプレイ要素のクローズ状態であり、２５６はディスプレイ要素の完全にオープンの状態である。プロセッサ３７は、一フレーム内の全てのディスプレイ要素について２つのフレーム間のディスプレイ効果の変化の大きさを計算することができる。予め規定された差値は、ディスプレイ効果が、ディスプレイデバイスの予め規定された数のディスプレイ要素について予め規定された変化を超えた変化だけ変化するものである可能性がある。ＤＣ駆動からＡＣ駆動への変更は、差値が予め規定された差値より大きい、例えば、ディスプレイデバイスのディスプレイ要素の６５％が２つのフレーム間で６０以上だけグレーレベルを変化させる場合に行うことができる。ＡＣ駆動からＤＣ駆動への変更は、差値が２つのフレームについて予め規定された差値より小さい、または、この例では、６０以上だけグレーレベルを変化させるディスプレイ要素の数がディスプレイ要素の半分未満である場合に行うことができる。
【００５０】
選択についての量は、同様に、そのグレー状態が、或る相対的な量より大きな量、例えば４０％だけ変化するディスプレイ要素の数であるとすることができる。予め規定された差値は、ディスプレイ効果が、ディスプレイ要素の半分について４０％より大きな値だけ変化するようなものである可能性がある。フレーム間の差値が、例えば、ディスプレイ要素の６０％が、４０％より大きな値だけそのディスプレイ効果を変化させるものである場合、ＡＣ駆動スキームを選択することによって変更を行うことができる。
【００５１】
差値を決定する別の方法は、ディスプレイデバイスのディスプレイ要素について第１のフレームのディスプレイ効果と第２のフレームのディスプレイ効果を比較し、第１のフレームにおけるディスプレイ要素のディスプレイ効果と第２のフレームにおけるディスプレイ要素のディスプレイ効果との差をヒストグラムで配列することによる。図７は、２つのフレーム間のディスプレイ効果の変化の大きさのヒストグラムを示す。垂直軸に沿うパラメータｎｉは、そのディスプレイ効果が或る範囲ｉ内で変化するディスプレイ要素の数である。水平軸は、ディスプレイ効果の増加する変化の５つの範囲を示す。実際の変化のヒストグラムは、予め規定されたヒストグラムと比較されて、駆動スキームの選択が基づく差値を決定することができる。ヒストグラムが同様に使用されて、選択がそれに基づくことができる平均及び分散等の統計パラメータを導出することができる。
【００５２】
２つのフレーム間のディスプレイ効果の変化を指示する差値を、同様に、動きベクトル等の動き推定量の形態で表現することができる。動きベクトルは、画像の後続のフレーム間の、画像内の物体の位置の変化を表す。動き推定量は、ブロックマッチングアルゴリズム、位相相関及び周波数領域法、ピクセル再帰アルゴリズム、及びオプティカルフロー等の方法によって決定される可能性があり、これらの技法は知られている。こうした方法は、通常、画像内に動きベクトルのフィールドを形成する。フレーム間の差値は、例えば、画像内の最大の動きベクトルの長さまたは動きベクトルの平均長として表現される可能性がある。
【００５３】
動き推定量による差値が、或る予め規定された値未満であるとき、ＤＣ駆動方法を選択することができ、差値が規定された値より大きいとき、ＡＣ駆動方法を選択することができる。
【００５４】
第１のクラスの上述した実施形態は、同じ駆動スキームをディスプレイデバイスの全てのディスプレイ要素に適用することができる。異なる駆動スキームによってディスプレイデバイスの異なる部分を駆動することも可能である。例えば、表示される画像の一部が静的であり、一部が動的である場合、動的部分はＡＣ駆動スキームを使用して駆動され、静的部分はＤＣ駆動スキームを使用して駆動される可能性がある。アクティブマトリクス型のディスプレイデバイスにおいて、画像の動的部分は或る行及び或る列に対応する。これらの行が選択されると、これらの列に印加される電圧は、例えば図５のフレーム６〜８に示すように交流電圧を印加すべきである。画像の静的部分に位置するディスプレイ要素は、図５のフレーム１及び２に示すように駆動される。
第２のクラスの実施形態
【００５５】
図３に示すようなアクティブマトリクスディスプレイデバイスを駆動するとき、ディスプレイ列ドライバ３５は、各列信号ライン４４上に電圧を提供する。図４は、少数の連続する行上のディスプレイ要素について、列ｌ及びｌ＋１について変動する電圧Ｖｌ及びＶｌ＋１を例として示す。隣接する行でかつ同じ列内のディスプレイ要素が非常に異なる電圧を必要とするとき、その列用のドライバステージ４３は、高電圧を有する高周波信号を出力しなければならない。これは、チェッカボードパターン、或は、暗い四角形と明るい四角形または異なるカラーを有する四角形を有するパターンが表示されるときに起こる場合がある。比較的高い電力消費を低減することが望ましい。
【００５６】
述べられる例によれば、電気湿潤ディスプレイデバイスは、行及び列を有するアクティブマトリクスで配列された複数のディスプレイ要素を有することができ、特定のディスプレイ要素は、特定のディスプレイ要素の列に沿うディスプレイ要素に電圧を印加し、特定のディスプレイ要素の行を選択することによってアドレス指定される。電気湿潤ディスプレイデバイスを駆動する方法は、それについて、規定された列または列のグループ内のディスプレイ要素に印加される電圧が第１の範囲内にある、行の第１のグループを決定することであって、第１の範囲の広がりは、それにわたって電圧が制御可能である範囲の広がりより小さい、決定すること、及び、第１のグループ内の行を連続的に選択することを含むことができる。
【００５７】
図８は、いわゆる行インタリーブ駆動方法のステージを概略的に示す。ステージ６１及び６２は、以前の節の方法を示す。第１のグループ内での行の選択中に、列信号ライン上の電圧は、第１の範囲内でだけ変動する。高電圧と低電圧との間の移行の回数が減少するため、列ドライバ３５の電力消費が低減される。
【００５８】
図９ａは、行インタリーブ式駆動方法の一実施形態について、一フレーム以内の電圧対時間の線図を示す。方法の第１のステージは、列において印加される電圧が第１の予め規定された範囲内にある行の第１のグループを決定することを必要とする。図８ａの例において、列ｌ内のディスプレイ要素ｍ、ｍ＋２、及びｍ＋４は、第１の範囲８０に入る電圧を必要とする。第１の範囲の広がりは、印加電圧がそれにわたって制御される可能性があるＶｍｉｎからＶｍａｘまでの電圧範囲の広がりより小さい。Ｖｍｉｎ及びＶｍａｘについての一般的な値は、それぞれ０Ｖ及び３０Ｖである。第１の範囲は、この例では、０Ｖ〜５Ｖまで延在し、電圧範囲の端にある。すなわち、第１の範囲の端は、電圧範囲の端に一致する。第１の範囲はまた、０Ｖ〜１５Ｖまで延存する場合がある。しかし、第１の範囲は、ＶｍｉｎからＶｍａｘまでの電圧範囲内のどこにでも位置することができる。ディスプレイ要素ｍ、ｍ＋２、及びｍ＋４は、行ｋ、ｋ＋２、及びｋ＋４上に位置する（図３参照）。したがって、これらの行は第１のグループに属する。
【００５９】
方法の以下のステージにおいて、第１のグループの行が連続的に選択される。これは、第１のグループが選択される前及び／または選択された後に、そのグループに属さない行が選択されることを意味する。図８ａは、行ｋ、ｋ＋２、及びｋ＋４についての連続するパルスによる第１のグループの行の選択を示す。この例において、他の行、すなわち、ｋ＋１及びｋ＋３は、第１のグループの最後の行（ｋ＋４）が選択された後に選択される。列ｌの列信号ライン４４上の電圧は、第１のグループ内の行の選択中に第１の範囲の限界内で変動し、列ドライバ３５の電力消費は比較的低いことになる。方法は、行インタリーブ式駆動方法とも呼ばれ、行インタリーブ式駆動方法において、インタリーブ式は、行を選択するタイミングの変化を指す。
【００６０】
図９ｂは、行インタリーブ式駆動方法が使用されず、マトリクス内に配列される順序で行が選択される場合の、列ｌの列信号ライン４４上の電圧を示す。同じ電圧が、図９ａ及び９ｂにおいて５つのディスプレイ要素ｍ〜ｍ＋４に印加される。図９ｂの方法が、図９ａの方法に比べて、電圧の実質的に多くの大きな変化を必要とすることが明らかである。したがって、列ドライバ３５の電力消費は、図９ｂの方法の場合より図９ａの方法の場合に小さい。
【００６１】
図９ｃは、図９ａの実施形態と同様であるが、第２の予め規定された範囲８１が使用される行インタリーブ式駆動方法の別の実施形態を示す。第２の範囲は、印加電圧がそれにわたって制御可能である電圧範囲の上側端にあるが、第２の範囲は、ＶｍｉｎからＶｍａｘまでの電圧範囲内のどこにでも位置することができる。方法の第１のステージは、列において印加される電圧が第１の範囲内にある行の第１のグループを決定すること、及び、その列において印加される電圧が第２の範囲内にある行の第２のグループを決定することを必要とする。図８ｃの例において、列ｌ内のディスプレイ要素ｍ及びｍ＋２は第１の範囲８０内に入る電圧を必要とし、列ｌ内のディスプレイ要素ｍ＋１及びｍ＋３は第２の範囲８１内に入る電圧を必要とする。第２の範囲の広がりは、ＶｍｉｎからＶｍａｘまでの電圧範囲の広がりより小さい。第２の範囲は、この例では、２５Ｖ〜３０Ｖまで延在する。したがって、行ｋ及びｋ＋２は第１のグループに属し、行ｋ＋１及びｋ＋３は第２のグループに属する。
【００６２】
図９ｃの例において、第１のグループの行ｋ及びｋ＋２が最初に選択され、次に、第１のグループにも第２のグループにも属さない行ｋ＋４が選択され、その後、行ｋ＋１及びｋ＋３が選択される。各グループ内の行は連続的に選択される。グループ内での選択の順序を変更することができ、また、グループ及び他の行の順序を同様に変更することができる。行を、印加電圧を増加または減少する順序で選択することができる。行を、マトリクスに配列されている順序で同様に選択することができる。図９ｃに示す列信号ライン４４に印加される電圧Ｖｌは、行のないインタリーブ式方法の場合に比べて少数の大きな変化を有する。第２のグループに属する行を決定するステージ、及び、これらの行を選択するステージは、ステージ６３及び６４として図８にそれぞれ示される。
【００６３】
ディスプレイ要素の複数の列を有するディスプレイデバイスの場合、どの行が第１のグループに入るかを判定する方法を、或る列について適用することができる。各列内のディスプレイ要素に印加される電圧の平均を決定することによって、方法を同様に修正（ａｍｅｎｄ）することができる。行における平均化がそれにわたって行われるディスプレイ要素は、列のグループ内に配列される。このグループは、ディスプレイデバイスの全ての列または列の選択物を含むことができる。第１の範囲内に電圧の平均を有する行は第１のグループに属する。或るグループに属する行を判定する他の方法が可能である。
【００６４】
異なるフレーム内のデータがしばしば異なるため、任意のグループの行を判定するステージを、各フレームについて繰返すことができる。カラーディスプレイデバイスにおいて、ディスプレイ要素を、サブディスプレイ要素に分割することができ、各サブディスプレイ要素は、特定のカラー、例えば、赤、緑、青、及び白（ＲＧＢＷ）を表示するために設計される。ディスプレイ要素のサブディスプレイ要素を、異なる行にわたって分割することができる。２つの例示的なレイアウトは図１０ａ及び１０ｂに示される。図１０ａは、２つのディスプレイ要素９０を示し、各ディスプレイ要素は、２つの行及び２つの列にわたって分配された４つのサブディスプレイ要素を有する。図１０ｂのディスプレイ要素９１は、３つの隣接する列にわたって分配された３つのサブディスプレイ要素を有する。図１０ａのレイアウトを有するディスプレイデバイスが、例えば、背景として一様なマゼンタカラーを表示する場合、Ｒ及びＢのサブディスプレイ要素がオンされ、Ｇ及びＷのサブディスプレイ要素がオフされることになる。列ｌ及びｌ＋１についての電圧は、行がマトリクス内に配列される順序でスキャンされるとき、キャステレート（ｃａｓｔｅｌｌａｔｅｄ）  されることになる。行インタリーブ式駆動方法は、実質的によりスムーズな電圧、したがって、ディスプレイ列ドライバ３５の低消費電力を可能にすることになる。
第３のクラスの実施形態
【００６５】
電気湿潤ディスプレイデバイスは、アナログ駆動スキームによって駆動される可能性がある。アナログ駆動スキームにおいて、ディスプレイ効果を指示する電圧がディスプレイ要素に印加される。アナログ駆動の例は、ＡＣ駆動及びＤＣ駆動である。ディスプレイ装置に入力されるデータが、アナログ駆動式ディスプレイ要素のディスプレイ効果の大きくかつ頻繁な変化を必要とするとき、表示される画像の品質が減少する。表示される画像の品質を改善することが望ましい。以下で述べる実施形態は、表示される画像の品質を改善する。
【００６６】
パルス幅変調（ｐｗｍ：ｐｕｌｓｅ  ｗｉｄｔｈ  ｍｏｄｕｌａｔｉｏｎ）スキームは、ディスプレイ要素を駆動するため、第１期間中に第１の電圧を、また、第２期間中に第２の電圧を使用することができる。第１の期間は第２の期間の前である場合があり、第２の期間は第１の期間の前である場合がある。第１の電圧は第２の電圧より高い。第１の期間及び第２の期間の継続時間は、観測されるディスプレイ効果を決定する。第１の電圧はＶｍａｘに等しく、第２の電圧はＶｍｉｎに等しいとすることができ、Ｖｍａｘ及びＶｍｉｎは、印加電圧がそれにわたって制御される可能性がある電圧範囲の最大電圧及び最低電圧である。電気湿潤セル内での第１の流体の移動が、印加電圧の大きな変化を伴って駆動するときにより速いため、ディスプレイ要素は、アナログ駆動を使用することと比較してパルス幅変調駆動を使用するときに、ディスプレイ効果の大きくかつ頻繁な変化を表すデータに対する改善された応答を有する。
【００６７】
アナログ駆動が、ｐｗｍ駆動より少ない電力を必要とするため、入力データに応じてアナログ駆動スキームまたはｐｗｍ駆動スキームを使用する方法は、全ての入力データについてｐｗｍ駆動スキームを用いる駆動より少ない電力を必要とする。
【００６８】
図１１は、アナログ−ｐｗｍ駆動方法の線図を示す。図１１は、３つのフレームｆ１…ｆ３についての、時間の関数としてのディスプレイ要素の電極に印加される電圧Ｖｅを示す。各フレームは、フレームｆ１についてｆ１ａ、ｆ１ｂ、ｆ１ｃとラベル付けされた３つのサブフレームを有する。３つのサブフレームの継続時間は比１：２：４になる。ディスプレイデバイスのディスプレイ要素は、各サブフレームについて１回、各フレーム中に３回アドレス指定される。
【００６９】
フレームｆ１は、電圧Ｖｅが、フレームの継続時間の間、ディスプレイ要素に印加されるアナログ駆動スキームを示す。フレームｆ１内の各サブフレームの開始時に、同じ電圧がディスプレイ要素に印加される。これは、ディスプレイ効果を指示するディスプレイ要素に印加される全ての電圧が同じ極性を有するＤＣ駆動の例である。別の例において、一フレーム内のサブフレームは等しい長さを有し、その等しい長さを、アナログ駆動スキーム及びｐｗｍ駆動スキームのために使用することができる。アナログ駆動スキームにおいて、異なる印加電圧は、ディスプレイ要素内での流体の異なる構成、したがって、異なるディスプレイ効果をもたらす。アナログ駆動によって得られる可能性がある異なるディスプレイ効果またはグレーレベルの数は、ドライバによって出力される可能性がある電圧レベルの数に依存する。ドライバは、例えば、６４の電圧レベルを出力することができ、６ビット深さに対応することができる。
【００７０】
ＤＣ駆動を使用する代わりに、例えばフレーム間またはサブフレーム間で印加電圧の極性を交番するＡＣ駆動を、同様に使用することができる。
【００７１】
フレームｆ２及びｆ３は、パルス幅変調（ｐｗｍ）駆動スキームを示す。ｆ２の第１及び第３のサブフレームｆ２ａ、ｆ２ｃにおいて、印加電圧は低く、ディスプレイ要素内の第１の流体は、ディスプレイ要素の全ディスプレイエリアを覆っていることになり、ディスプレイ要素は、オフまたはクローズ状態にあることになる。ｆ２の第２のサブフレームｆ２ｂにおいて、印加電圧は高く、第１の流体を収縮させ、ディスプレイ要素のオープン状態を示す。ｐｗｍスキームにおいて印加される電圧は、ディスプレイ効果を指示しない。ディスプレイ効果は、第１の電圧が印加される期間及び第２の電圧が印加される期間に依存する。
【００７２】
フレームｆ２におけるディスプレイ効果は、フレーム期間の５／７の間、クローズされ、フレーム期間の２／７の間、オープンである。フレームの継続時間が比較的短いため、観測者の目は、両方の状態の印象を平均化することになる。したがって、フレームｆ２は、１（クローズ）〜８（オープン）までのスケール上で３のグレーレベルを示すことになる。フレームｆ３は６のグレーレベルを示す。３つのサブフレームは、８つのグレーレベルまたは３ビット深さを表示することができる。
【００７３】
図１１のＶｅの電圧変化は、ディスプレイ要素の電極に接続される信号ライン５上に、必要とされる電圧がセットされ、タイミングが各フレーム内のサブフレームに対応するよう図２のディスプレイコントローラ２０６及びディスプレイドライバ２０７をプログラムすることによって、直接駆動型のディスプレイ装置において実装される可能性がある。
【００７４】
アクティブマトリクス型のディスプレイ装置における実装は、各フレーム内のサブフレーム中におけるディスプレイ要素のアドレス指定を可能にする。アナログ駆動またはｐｗｍ駆動の選択は、サブフレームについての列信号ライン上の電圧の適切な選択によって実現される可能性がある。
【００７５】
アナログ駆動からパルス幅変調駆動へ、また、その逆への変更は、ディスプレイ装置に入力されるディスプレイ効果を表すデータの特性に応じて行われる。データの特性は、上述した第１のクラスの実施形態の特性と同様である。データの特性は、例えば、フレームレートまたは差値である場合がある。特性は、第１のクラスの実施形態について上述したのと同じ方法で得られ、同様の選択基準を有することができる。複数のディスプレイ要素を有するディスプレイデバイスについての特定の決定を、第１のクラスについて上述したように実施することができる。
第４のクラスの実施形態
【００７６】
電気湿潤ディスプレイデバイスは、ＤＣ駆動スキームによって駆動される可能性がある。ディスプレイ装置に入力されるデータが、ディスプレイ要素のディスプレイ効果の大きくかつ頻繁な変化を必要とするとき、表示される画像の品質は減少する。表示される画像の品質を改善することが望ましい。以下で述べる実施形態は、表示される画像の品質を改善する。
【００７７】
電気湿潤デヒスプレイデバイスを駆動する方法において、電気湿潤デヒスプレイデバイスは、表示期間中にディスプレイ効果を表示するための少なくとも１つのディスプレイ要素を有する。方法は、例えば、少なくとも１つのディスプレイ要素によって表示するため第１のディスプレイ効果を表すデータを受信すること、及び、第１のディスプレイ効果の表示に続いて、少なくとも１つのディスプレイ要素によって表示するため第２のディスプレイ効果を表すデータを受信することを含むことができる。第１のディスプレイ効果を表すデータ及び第２のディスプレイ効果を表すデータは比較されて、ディスプレイ効果の変化を指示する差値を決定することができる。少なくとも１つのディスプレイ要素についての駆動スキームは、差値に応じて選択される可能性がある。選択は、少なくとも第１の駆動スキーム及び第２の駆動スキームから行われる可能性がある。第１の駆動スキームにおいて、ディスプレイ効果を指示する電圧は、表示期間中に、第１の回数、少なくとも１つのディスプレイ要素に印加される。第２の駆動スキームにおいて、ディスプレイ効果を指示する電圧は、表示期間中に、第２の回数、少なくとも１つのディスプレイ要素に印加される。第２の数は第１の数と異なる。第１の数は第２の数より大きい場合があり、第２の数は第１の数より大きい場合がある。方法は、ディスプレイ効果を指示する電圧をディスプレイ要素またはディスプレイ要素の電極に数回適用し、数の値は差値に依存する。数はゼロより大きい任意の整数値を有することができる。
【００７８】
方法は、ディスプレイ要素の電極上で、必要とされる電荷及び電圧が獲得されるよう、ディスプレイ効果の増加ステップが、ディスプレイ要素に対する多数回の電圧の印加をもたらすように構成される可能性がある。
【００７９】
ディスプレイ要素のディスプレイ効果の大きくかつ頻繁な変化は、ディスプレイ効果が表示されるのに適切なレベルまでディスプレイ要素を満充電するために、電圧の数回の印加を必要とする場合があることが観測された。上記実施形態において、電圧の印加の回数は、ディスプレイ効果の変化を指示する差値に依存させられた。
【００８０】
図１２は、複数データ書込み駆動方法の線図を示す。ディスプレイ要素の電極に印加される電圧Ｖｅは、６つのフレームｆ１０…ｆ１５について時間の関数として示される。ディスプレイデバイスのディスプレイ効果は、表示期間１００の間、表示され、表示期間１００は、この例では、一フレームの継続時間または長さと同じである。
【００８１】
フレームｆ１０とｆ１１との間の電圧の変化は、ディスプレイ要素のディスプレイ効果を指示する。したがって、フレームｆ１０とｆ１１との間の印加電圧の変化は、ディスプレイ効果の変化を指示する。ディスプレイ効果の変化の大きさは、フレームｆ１０とｆ１１との間の差値として採取される可能性がある。図１の例において、フレームｆ１０とｆ１１との間の差値は、予め規定された値より小さく、したがって、フレームｆ１１の間、ディスプレイ要素は、１に等しい第１の数を用いた第１の駆動スキームを使用して駆動される。
【００８２】
フレームｆ１１からｆ１２への移行において、ディスプレイ効果の変化は、フレームｆ１０からｆ１１への移行の場合と異なる符号を有する。これらの変化は、差値がディスプレイ効果の変化の大きさである場合、同様に処理され、差値を、変化の符号に無関係にする可能性がある。代替的に、符号は、例えば、ディスプレイ効果のポジティブな変化だけを考慮することによって考慮される可能性がある。
【００８３】
フレームｆ１２からｆ１３への移行は、ディスプレイ効果の比較的大きな変化を示す。差値は、ここでは、予め規定された値より大きく、第２の駆動スキームが、フレームｆ１３について選択される。第２の数の値は、この例では、２であり、表示期間中に電圧の２回の印加をもたらす。最初の印加１０１は表示期間の開始時であり、２回目の印加１０２は、最初の印加後であるが、表示期間内である。電圧の２回目のまた更なる印加は、図１２に示すように、表示期間の開始の近くで、それらの印加がグループ化されるときに有効である。
【００８４】
フレームｆ１４からフレームｆ１５への移行におけるディスプレイ状態の更に大きな変化は、ディスプレイ要素に対する電圧の３回の印加１０３、１０４、１０５をもたらす。
【００８５】
方法は、電圧の２回目のまた更なる各印加についてサブフレームを使用することによって、アクティブマトリクス型のディスプレイ装置において実装される可能性がある。例えば、フレームｆ１３において、ディスプレイデバイスのディスプレイ要素がアドレス指定され、適切な電圧が列信号ラインに印加される。このアドレス指定動作の直後に、サブフレームは、次のアドレス指定動作として、同じ電圧を列信号ラインに印加することをもたらす。
【００８６】
表示期間中において、１回または複数回、ディスプレイ要素に電圧を印加することからの変更が、ディスプレイ効果を表すデータに特有で、かつ、ディスプレイ装置に入力される差値に応じて行われる。差値は、上述した第１のクラスの実施形態の差値と同様である。差値は、例えば、ディスプレイ効果の変化、または、予め規定された変化より大きなディスプレイ状態の変化を有するディスプレイデバイスのディスプレイ要素の数である場合がある。予め規定された変化は、例えば、１から２５６のグレースケール上で６０である。
【００８７】
差値は、第１のクラスの実施形態について上述したのと同じ方法で得られ、同様の選択基準を有することができる。複数のディスプレイ要素を有するディスプレイデバイスについての特性の決定を、第１のクラスについて上述したように実施することができる。
【００８８】
上記実施形態は、例証的な例として理解される。更なる実施形態が想定される。例えば、実施形態は、より高いフレームレートを有するスキームを導出することを含むことができ、そのスキームを、別個に、または、先に述べた駆動スキームのうちの１つのスキームと組合せて選択することができる。
【００８９】
更なる例が、後の条項セクションで与えられる。
【００９０】
任意の１つの実施形態に関連して述べられる任意の特徴が、単独で、または、述べられる他の特徴と組合せて使用される場合があり、また、実施形態のうちの任意の他の実施形態または実施形態のうちの任意の他の実施形態の任意の組合せの１つまたは複数の特徴と組合せて使用される場合があることが理解される。更に、上述されない等価形態及び修正形態を、添付特許制球の範囲から逸脱することなく、同様に使用することができる。
【００９１】
条項
Ａ１．  ディスプレイ効果を表示するため少なくとも１つのディスプレイ要素を有する電気湿潤ディスプレイデバイスを駆動する方法であって、
少なくとも１つのディスプレイ要素によって表示するためディスプレイ効果を表すデータを受信すること、
データの特性に応じて、少なくとも１つのディスプレイ要素について駆動スキームを選択することであって、駆動スキームは、少なくとも、
ａ）ＤＣ駆動スキームであって、ディスプレイ効果を示す少なくとも１つのディスプレイ要素に印加される全ての電圧が同じ極性を有する、ＤＣ駆動スキーム、及び、
ｂ）ＡＣ駆動スキームであって、ディスプレイ効果を示す少なくとも１つのディスプレイ要素に印加される全ての電圧が、異なる極性を有する少なくとも２つの電圧を含む、ＡＣ駆動スキーム
から選択される、選択すること、
選択された駆動スキームを使用してディスプレイ要素を駆動することを含む、方法。
Ａ２．  データの特性は、少なくとも１つのディスプレイ要素を駆動するフレームレートを表し、フレームレートは、少なくとも１つのディスプレイ要素のディスプレイ効果を変更するために少なくとも１つのディスプレイ要素を連続的にアドレス指定するレートを示す、条項Ａ１に記載の方法。
Ａ３．  フレームレートが規定のフレームレートより低いときにＤＣ駆動スキームを選択し、フレームレートが規定のフレームレート以上であるときにＡＣ駆動スキームを選択することを含む、条項Ａ２に記載の方法。
Ａ４．  データを受信することは、
少なくとも１つのディスプレイ要素によって表示するため第１のディスプレイ効果を表すデータを受信すること、及び、
第１のディスプレイ効果の表示に続いて、少なくとも１つのディスプレイ要素によって表示するため第２のディスプレイ効果を表すデータを受信することを含み、方法は、
第１のディスプレイ効果を表すデータ及び第２のディスプレイ効果を表すデータを比較することであって、それにより、ディスプレイ効果の変化を指示する差値を決定する、比較することを含み、差値はデータの特性である、条項Ａ１に記載の方法。
Ａ５．  差値は、少なくとも１つのディスプレイ要素のディスプレイ効果の変化の大きさを表す、条項Ａ４に記載の方法。
Ａ６．  電気湿潤ディスプレイデバイスは複数のディスプレイ要素を有し、差値は、規定の変化より大きいディスプレイ効果の変化を有するディスプレイ要素の数を表す、条項Ａ４に記載の方法。
Ａ７．  電気湿潤ディスプレイデバイスは複数のディスプレイ要素を有し、方法は、ディスプレイ要素のディスプレイ効果の変化をヒストグラムで配列し、ヒストグラムからデータの特性を導出することを含む、条項Ａ４に記載の方法。
Ａ８．  ＤＣ駆動中にディスプレイ要素にリセットパルスを印加することであって、それにより、ディスプレイ要素内の逆流を低減する、印加することを含む、条項Ａ１に記載の方法。
Ａ９．  データは、複数のフレームについて少なくとも１つのディスプレイ要素によって表示するためのディスプレイ効果を表し、ＡＣ駆動スキームは、後続のフレームの間でディスプレイ要素に印加される電圧の極性を変更する、条項Ａ１に記載の方法。
Ａ１０．  少なくとも１つのプロセッサ及びコンピュータプログラム命令を含む少なくとも１つのメモリを備える電気湿潤ディスプレイデバイス用のディスプレイコントローラであって、
ディスプレイデバイスは、ディスプレイ効果を表示するための少なくとも１つのディスプレイ要素を含み、
少なくとも１つのメモリ及びコンピュータプログラム命令は、少なくとも１つのプロセッサによって、ディスプレイデバイスを駆動する方法をディスプレイコントローラに実施させるように構成され、方法は、
少なくとも１つのディスプレイ要素によって表示するためディスプレイ効果を表すデータを受信すること、
データの特性に応じて、少なくとも１つのディスプレイ要素について駆動スキームを選択することであって、駆動スキームは、少なくとも、
ａ）ＤＣ駆動スキームであって、ディスプレイ効果を示す少なくとも１つのディスプレイ要素に印加される全ての電圧が同じ極性を有する、ＤＣ駆動スキーム、及び、
ｂ）ＡＣ駆動スキームであって、ディスプレイ効果を示す少なくとも１つのディスプレイ要素に印加される電圧が、異なる極性を有する少なくとも２つの電圧を含む、ＡＣ駆動スキーム
から選択される、選択すること、
選択された駆動スキームを使用してディスプレイ要素を駆動することを含む、ディスプレイコントローラ。
Ａ１１．  データの特性は、少なくとも１つのディスプレイ要素を駆動するフレームレートを表し、フレームレートは、少なくとも１つのディスプレイ要素のディスプレイ効果を変更するために少なくとも１つのディスプレイ要素を連続的にアドレス指定するレートを示す、条項Ａ１０に記載のディスプレイコントローラ。
Ａ１２．  方法は、フレームレートが規定のフレームレートより低いときにＤＣ駆動スキームを選択し、フレームレートが規定のフレームレート以上であるときにＡＣ駆動スキームを選択することを含む、条項Ａ１１に記載のディスプレイコントローラ。
Ａ１３．  データを受信することは、
少なくとも１つのディスプレイ要素によって表示するため第１のディスプレイ効果を表すデータを受信すること、及び、
第１のディスプレイ効果の表示に続いて、少なくとも１つのディスプレイ要素によって表示するため第２のディスプレイ効果を表すデータを受信することを含み、方法は、
第１のディスプレイ効果を表すデータ及び第２のディスプレイ効果を表すデータを比較することであって、それにより、ディスプレイ効果の変化を指示する差値を決定する、比較することを含み、差値はデータの特性である、条項Ａ１０に記載のディスプレイコントローラ。
Ａ１４．  差値は、少なくとも１つのディスプレイ要素のディスプレイ効果の変化の大きさを表す、条項Ａ１３に記載のディスプレイコントローラ。
Ａ１５．  電気湿潤ディスプレイデバイスは複数のディスプレイ要素を有し、差値は、規定の変化より大きいディスプレイ効果の変化を有するディスプレイ要素の数を表す、条項Ａ１３に記載のディスプレイコントローラ。
Ａ１６．  電気湿潤ディスプレイデバイスは複数のディスプレイ要素を有し、方法は、ディスプレイ要素のディスプレイ効果の変化をヒストグラムで配列し、ヒストグラムからデータの特性を導出することを含む、条項Ａ１３に記載のディスプレイコントローラ。
Ａ１７．  ＤＣ駆動中にディスプレイ要素にリセットパルスを印加して、ディスプレイ要素内の逆流を低減するように構成される、条項Ａ１０に記載のディスプレイコントローラ。
Ａ１８．  データは、複数のフレームについて少なくとも１つのディスプレイ要素によって表示するためのディスプレイ効果を表し、ディスプレイコントローラは、ＡＣ駆動スキーム中、後続のフレームの間で少なくとも１つのディスプレイ要素に印加される電圧の極性を変更するように構成される、条項Ａ１０に記載のディスプレイコントローラ。
Ａ１９．  条項Ａ１０に記載のディスプレイコントローラを含む電気湿潤ディスプレイ装置であって、ディスプレイドライバ及びディスプレイデバイスは少なくとも１つのディスプレイ要素を備える、電気湿潤ディスプレイ装置。
Ａ２０．  コンピュータプログラム製品であって、非一時的コンピュータ可読記憶媒体であって、非一時的コンピュータ可読記憶媒体上に記憶されたコンピュータ可読命令を有する、非一時的コンピュータ可読記憶媒体を備え、コンピュータ可読命令は、コンピュータ化デバイスによって実行可能であって、ディスプレイ効果を表示するため少なくとも１つのディスプレイ要素を有する電気湿潤ディスプレイデバイスを駆動する方法をコンピュータ化デバイスに実施させ、方法は、
少なくとも１つのディスプレイ要素によって表示するためディスプレイ効果を表すデータを受信すること、
データの特性に応じて、少なくとも１つのディスプレイ要素について駆動スキームを選択することであって、駆動スキームは、少なくとも、
ａ）ＤＣ駆動スキームであって、ディスプレイ効果を示す少なくとも１つのディスプレイ要素に印加される全ての電圧が同じ極性を有する、ＤＣ駆動スキーム、及び、
ｂ）ＡＣ駆動スキームであって、ディスプレイ効果を示す少なくとも１つのディスプレイ要素に印加される電圧が、異なる極性を有する少なくとも２つの電圧を含む、ＡＣ駆動スキーム
から選択される、選択すること、
選択された駆動スキームを使用してディスプレイ要素を駆動することを含む、コンピュータプログラム製品。
Ａ２１．  データの特性は、少なくとも１つのディスプレイ要素を駆動するフレームレートを表し、フレームレートは、少なくとも１つのディスプレイ要素のディスプレイ効果を変更するために少なくとも１つのディスプレイ要素を連続的にアドレス指定するレートを示す、条項Ａ２０に記載のコンピュータプログラム製品。
Ａ２２．  方法は、フレームレートが規定のフレームレートより低いときにＤＣ駆動スキームを選択し、フレームレートが規定のフレームレート以上であるときにＡＣ駆動スキームを選択することを含む、条項Ａ２１に記載のコンピュータプログラム製品。
Ａ２３．  データを受信することは、
少なくとも１つのディスプレイ要素によって表示するため第１のディスプレイ効果を表すデータを受信すること、及び、
第１のディスプレイ効果の表示に続いて、少なくとも１つのディスプレイ要素によって表示するため第２のディスプレイ効果を表すデータを受信することを含み、方法は、
第１のディスプレイ効果を表すデータ及び第２のディスプレイ効果を表すデータを比較することであって、それにより、ディスプレイ効果の変化を指示する差値を決定する、比較することを含み、差値はデータの特性である、条項Ａ２０に記載のコンピュータプログラム製品。
Ｂ１．  画像を表示するための電気湿潤ディスプレイデバイスを駆動する方法であって、ディスプレイデバイスは、行及び列を有するマトリクスで配列された複数のディスプレイ要素を有し、特定のディスプレイ要素は、特定のディスプレイ要素の列に電圧を印加し、特定のディスプレイ要素の行を選択することによってアドレス指定され、
それについて、規定された列または列のグループ内のディスプレイ要素に印加される電圧が第１の範囲内にある、行の第１のグループを決定することであって、第１の範囲の広がりは、それにわたって電圧が制御可能である範囲の広がりより小さい、決定すること、及び、
第１のグループ内の行を連続的に選択することを含む、方法。
Ｂ２．  画像を複数のフレームで表示すること、及び、
フレームの少なくとも１つのフレームについて決定すること及び選択することを実施することを更に含む、条項Ｂ１に記載の方法。
Ｂ３．  ディスプレイ要素は、少なくとも２つの行にわたって配列されるサブディスプレイ要素に分割される、条項Ｂ１に記載の方法。
Ｂ４．  規定された列または列のグループ内のディスプレイ要素に印加される電圧が第２の範囲内にある、行の第２のグループを決定することであって、第２の範囲は第１の範囲とオーバラップしない、決定すること、及び、
第２のグループ内の行を連続的に選択することを含む、条項Ｂ１に記載の方法。
Ｂ５．  電圧は或る電圧範囲内で制御可能であり、第１の範囲は電圧範囲の端にある、条項Ｂ１に記載の方法。
Ｂ６．  電圧は或る電圧範囲内で制御可能であり、第２の範囲は電圧範囲の端にある、条項Ｂ４に記載の方法。
Ｂ７．  電圧は或る電圧範囲内で制御可能であり、第１の範囲は電圧範囲の端にあり、第２の範囲は電圧範囲の別の端にある、条項Ｂ４に記載の方法。
Ｂ８．  電気湿潤ディスプレイデバイス用のディスプレイコントローラであって、少なくとも１つのプロセッサ、コンピュータプログラム命令を含む少なくとも１つのメモリ、及び画像を表すデータ用のディスプレイコントローラの入力を備え、
ディスプレイデバイスは、行及び列を有するマトリクスで配列された複数のディスプレイ要素を備え、特定のディスプレイ要素は、特定のディスプレイ要素の列に電圧を印加し、特定のディスプレイ要素の行を選択することによってアドレス指定され、
少なくとも１つのメモリ及びコンピュータプログラム命令は、少なくとも１つのプロセッサによって、ディスプレイデバイスを駆動する方法をディスプレイコントローラに実施させるように構成され、方法は、
規定された列または列のグループ内のディスプレイ要素に印加される電圧が第１の範囲内にある、行の第１のグループを決定することであって、第１の範囲の広がりは、それにわたって電圧が制御可能である範囲の広がりより小さい、決定すること、及び、
第１のグループ内の行を連続的に選択することを含む、ディスプレイコントローラ。
Ｂ９．  画像を複数のフレームで表示し、フレームの少なくとも１つのフレームについて決定すること及び選択することを実施するように構成される、条項Ｂ８に記載のディスプレイコントローラ。
Ｂ１０．  ディスプレイ要素は、少なくとも２つの行にわたって配列されるサブディスプレイ要素に分割される、条項Ｂ８に記載のディスプレイコントローラ。
Ｂ１１．  規定された列または列のグループ内のディスプレイ要素に印加される電圧が第２の範囲内にある、行の第２のグループを決定することであって、第２の範囲は第１の範囲とオーバラップしない、決定すること、
第２のグループ内の行を連続的に選択すること
を実施するように構成される、条項Ｂ８に記載のディスプレイコントローラ。
Ｂ１２．  電圧は或る電圧範囲内で制御可能であり、第１の範囲は電圧範囲の端にある、条項Ｂ８に記載のディスプレイコントローラ。
Ｂ１３．  電圧は或る電圧範囲内で制御可能であり、第２の範囲は電圧範囲の端にある、条項Ｂ１１に記載の方法。
Ｂ１４．  電圧は或る電圧範囲内で制御可能であり、第１の範囲は電圧範囲の端に近く、第２の範囲は電圧範囲の別の端に近い、条項Ｂ１１に記載の方法。
Ｂ１５．  条項Ｂ８に記載のディスプレイコントローラを備える電気湿潤ディスプレイ装置であって、ディスプレイドライバ及びディスプレイデバイスは複数のディスプレイ要素を備える、電気湿潤ディスプレイ装置。
Ｂ１６．  コンピュータプログラム製品であって、非一時的コンピュータ可読記憶媒体であって、非一時的コンピュータ可読記憶媒体上に記憶されたコンピュータ可読命令を有する、非一時的コンピュータ可読記憶媒体を備え、コンピュータ可読命令は、コンピュータ化デバイスによって実行可能であって、画像を表示するための電気湿潤ディスプレイデバイスを駆動する方法をコンピュータ化デバイスに実施させ、
ディスプレイデバイスは、行及び列を有するマトリクスで配列された複数のディスプレイ要素を有し、特定のディスプレイ要素は、特定のディスプレイ要素の列に電圧を印加し、特定のディスプレイ要素の行を選択することによってアドレス指定され、方法は、
規定された列または列のグループ内のディスプレイ要素に印加される電圧が第１の範囲内にある、行の第１のグループを決定することであって、第１の範囲の広がりは、それにわたって電圧が制御可能である範囲の広がりより小さい、決定すること、及び、
第１のグループ内の行を連続的に選択することを含む、コンピュータプログラム製品。
Ｂ１７．  方法は、
画像を複数のフレームで表示すること、及び、
フレームの少なくとも１つのフレームについて決定すること及び選択することを実施することを含む、条項Ｂ１６に記載のコンピュータプログラム製品。
Ｂ１８．  ディスプレイ要素は、少なくとも２つの行にわたって配列されるサブディスプレイ要素に分割される、条項Ｂ１６に記載のコンピュータプログラム製品。
Ｂ１９．  方法は、
規定された列または列のグループ内のディスプレイ要素に印加される電圧が第２の範囲内にある、行の第２のグループを決定することであって、第２の範囲は第１の範囲とオーバラップしない、決定すること、
第２のグループ内の行を連続的に選択することを含む、条項Ｂ１６に記載のコンピュータプログラム製品。
Ｂ２０．  電圧は或る電圧範囲内で制御可能であり、第１の範囲は電圧範囲の端にある、条項Ｂ１６に記載のコンピュータプログラム製品。
Ｂ２１．  電圧は或る電圧範囲内で制御可能であり、第２の範囲は電圧範囲の端にある、条項Ｂ１９に記載のコンピュータプログラム製品。
Ｂ２２．  電圧は或る電圧範囲内で制御可能であり、第１の範囲は電圧範囲の端にあり、第２の範囲は電圧範囲の別の端にある、条項Ｂ１９に記載のコンピュータプログラム製品。
Ｃ１．  少なくとも１つのディスプレイ要素を有する電気湿潤ディスプレイデバイスを駆動する方法であって、
少なくとも１つのディスプレイ要素によって表示するためディスプレイ効果を表すデータを受信すること、
データの特性に応じて、少なくとも１つのディスプレイ要素について駆動スキームを選択することであって、駆動スキームは、少なくとも、
ａ）ディスプレイ効果を示すディスプレイ要素に電圧が印加されるアナログ駆動スキーム、及び、
ｂ）パルス幅変調駆動スキームであって、第１の期間中に第１の電圧がディスプレイ要素に印加され、第２の期間中に第２の電圧がディスプレイ要素に印加され、第１の電圧は第２の電圧より高く、第１の期間及び第２の期間の継続時間がディスプレイ効果を決定する、パルス幅変調駆動スキーム
から選択される、選択すること、
選択された駆動スキームを使用してディスプレイ要素を駆動することを含む、方法。
Ｃ２．  データの特性は、少なくとも１つのディスプレイ要素を駆動するフレームレートを表し、フレームレートは、少なくとも１つのディスプレイ要素のディスプレイ効果を変更するために少なくとも１つのディスプレイ要素を連続的にアドレス指定するレートを示す、条項Ｃ１に記載の方法。
Ｃ３．  フレームレートが規定のフレームレートより低いときにアナログ駆動スキームを選択し、フレームレートが規定のフレームレート以上であるときにパルス幅変調駆動スキームを選択することを含む、条項Ｃ２に記載の方法。
Ｃ４．  データを受信することは、
少なくとも１つのディスプレイ要素によって表示するため第１のディスプレイ効果を表すデータを受信すること、及び、
第１のディスプレイ効果の表示に続いて、少なくとも１つのディスプレイ要素によって表示するため第２のディスプレイ効果を表すデータを受信することを含み、方法は、
第１のディスプレイ効果を表すデータ及び第２のディスプレイ効果を表すデータを比較することであって、それにより、ディスプレイ効果の変化を指示する差値を決定する、比較することを含み、差値はデータの特性である、条項Ｃ１に記載の方法。
Ｃ５．  差値は、少なくとも１つのディスプレイ要素のディスプレイ効果の変化の大きさを表す、条項Ｃ４に記載の方法。
Ｃ６．  電気湿潤ディスプレイデバイスは複数のディスプレイ要素を有し、差値は、規定の変化より大きいディスプレイ効果の変化を有するディスプレイ要素の数を表す、条項Ｃ４に記載の方法。
Ｃ７．  電気湿潤ディスプレイデバイスは複数のディスプレイ要素を有し、方法は、ディスプレイ要素のディスプレイ効果の変化をヒストグラムで配列し、ヒストグラムからデータの特性を導出することを含む、条項Ｃ４に記載の方法。
Ｃ８．  電気湿潤ディスプレイデバイス用のディスプレイコントローラであって、少なくとも１つのプロセッサ及びコンピュータプログラム命令を含む少なくとも１つのメモリを備え、
ディスプレイデバイスは、ディスプレイ効果を表示するための少なくとも１つのディスプレイ要素を含み、
少なくとも１つのメモリ及びコンピュータプログラム命令は、少なくとも１つのプロセッサによって、ディスプレイデバイスを駆動する方法をディスプレイコントローラに実施させるように構成され、方法は、
データの特性に応じて、少なくとも１つのディスプレイ要素について駆動スキームを選択することであって、駆動スキームは、少なくとも、
ａ）ディスプレイ効果を示すディスプレイ要素に電圧が印加されるアナログ駆動スキーム、及び、
ｂ）パルス幅変調駆動スキームであって、第１の期間中に第１の電圧がディスプレイ要素に印加され、第２の期間中に第２の電圧がディスプレイ要素に印加され、第１の電圧は第２の電圧より高く、第１の期間及び第２の期間の継続時間がディスプレイ効果を決定する、パルス幅変調駆動スキーム
から選択される、選択すること、
選択された駆動スキームを使用してディスプレイ要素を駆動することを含む、ディスプレイコントローラ。
Ｃ９．  データの特性は、少なくとも１つのディスプレイ要素を駆動するフレームレートを表し、フレームレートは、少なくとも１つのディスプレイ要素のディスプレイ効果を変更するために少なくとも１つのディスプレイ要素を連続的にアドレス指定するレートを示す、条項Ｃ８に記載のディスプレイコントローラ。
Ｃ１０．  方法は、フレームレートが規定のフレームレートより低いときにアナログ駆動スキームを選択し、フレームレートが規定のフレームレート以上であるときにパルス幅変調駆動スキームを選択することを含む、条項Ｃ９に記載のディスプレイコントローラ。
Ｃ１１．  データを受信することは、
少なくとも１つのディスプレイ要素によって表示するため第１のディスプレイ効果を表すデータを受信すること、及び、
第１のディスプレイ効果の表示に続いて、少なくとも１つのディスプレイ要素によって表示するため第２のディスプレイ効果を表すデータを受信することを含み、方法は、
第１のディスプレイ効果を表すデータ及び第２のディスプレイ効果を表すデータを比較することであって、それにより、ディスプレイ効果の変化を指示する差値を決定する、比較することを含み、差値はデータの特性である、条項Ｃ８に記載のディスプレイコントローラ。
Ｃ１２．  差値は、少なくとも１つのディスプレイ要素のディスプレイ効果の変化の大きさを表す、条項Ｃ１１に記載のディスプレイコントローラ。
Ｃ１３．  電気湿潤ディスプレイデバイスは複数のディスプレイ要素を有し、差値は、規定の変化より大きいディスプレイ効果の変化を有するディスプレイ要素の数を表す、条項Ｃ１１に記載のディスプレイコントローラ。
Ｃ１４．  電気湿潤ディスプレイデバイスは複数のディスプレイ要素を有し、方法は、ディスプレイ要素のディスプレイ効果の変化をヒストグラムで配列し、ヒストグラムからデータの特性を導出することを含む、条項Ｃ１１に記載のディスプレイコントローラ。
Ｃ１５．  条項Ｃ８に記載のディスプレイコントローラを備える電気湿潤ディスプレイ装置であって、ディスプレイドライバ及びディスプレイデバイスは少なくとも１つのディスプレイ要素を備える、電気湿潤ディスプレイ装置。
Ｃ１６．  コンピュータプログラム製品であって、非一時的コンピュータ可読記憶媒体であって、非一時的コンピュータ可読記憶媒体上に記憶されたコンピュータ可読命令を有する、非一時的コンピュータ可読記憶媒体を備え、コンピュータ可読命令は、コンピュータ化デバイスによって実行可能であって、ディスプレイ効果を表示するため少なくとも１つのディスプレイ要素を有する電気湿潤ディスプレイデバイスを駆動する方法をコンピュータ化デバイスに実施させ、方法は、
少なくとも１つのディスプレイ要素によって表示するためディスプレイ効果を表すデータを受信すること、
データの特性に応じて、少なくとも１つのディスプレイ要素について駆動スキームを選択することであって、駆動スキームは、少なくとも、
ａ）ディスプレイ効果を示すディスプレイ要素に電圧が印加されるアナログ駆動スキーム、及び、
ｂ）パルス幅変調駆動スキームであって、第１の期間中に第１の電圧がディスプレイ要素に印加され、第２の期間中に第２の電圧がディスプレイ要素に印加され、第１の電圧は第２の電圧より高く、第１の期間及び第２の期間の継続時間がディスプレイ効果を決定する、パルス幅変調駆動スキーム
から選択される、選択すること、
選択された駆動スキームを使用してディスプレイ要素を駆動することを含む、コンピュータプログラム製品。
Ｃ１７．  データの特性は、少なくとも１つのディスプレイ要素を駆動するフレームレートを表し、フレームレートは、少なくとも１つのディスプレイ要素のディスプレイ効果を変更するために少なくとも１つのディスプレイ要素を連続的にアドレス指定するレートを示す、条項Ｃ１６に記載のコンピュータプログラム製品。
Ｃ１８．  方法は、フレームレートが規定のフレームレートより低いときにＤＣ駆動スキームを選択し、フレームレートが規定のフレームレート以上であるときにＡＣ駆動スキームを選択することを含む、条項Ｃ１７に記載のコンピュータプログラム製品。
Ｃ１９．  データを受信することは、
少なくとも１つのディスプレイ要素によって表示するため第１のディスプレイ効果を表すデータを受信すること、及び、
第１のディスプレイ効果の表示に続いて、少なくとも１つのディスプレイ要素によって表示するため第２のディスプレイ効果を表すデータを受信することを含み、方法は、
第１のディスプレイ効果を表すデータ及び第２のディスプレイ効果を表すデータを比較することであって、それにより、ディスプレイ効果の変化を指示する差値を決定する、比較することを含み、差値はデータの特性である、条項Ｃ１６に記載のコンピュータプログラム製品。
Ｄ１．  表示期間中にディスプレイ効果を表示するため少なくとも１つのディスプレイ要素を有する電気湿潤ディスプレイデバイスを駆動する方法であって、
少なくとも１つのディスプレイ要素によって表示するため第１のディスプレイ効果を表すデータを受信すること、
第１のディスプレイ効果の表示に続いて、少なくとも１つのディスプレイ要素によって表示するため第２のディスプレイ効果を表すデータを受信すること、
第１のディスプレイ効果を表すデータ及び第２のディスプレイ効果を表すデータを比較することであって、それにより、ディスプレイ効果の変化を指示する差値を決定する、比較すること、
差値に応じて、少なくとも１つのディスプレイ要素について駆動スキームを選択することであって、駆動スキームは、少なくとも、
ａ）第１の駆動スキームであって、ディスプレイ効果を指示する電圧が、表示期間中に、第１の回数、少なくとも１つのディスプレイ要素に印加される、第１の駆動スキーム、及び、
ｂ）第２の駆動スキームであって、ディスプレイ効果を指示する電圧が、表示期間中に、第２の回数、少なくとも１つのディスプレイ要素に印加され、第２の数は第１の数と異なる、第２の駆動スキーム
から選択される、選択すること、
選択された駆動スキームを使用してディスプレイ要素を駆動することを含む、方法。
Ｄ２．  差値は、少なくとも１つのディスプレイ要素のディスプレイ効果の変化の大きさを表す、条項Ｄ１に記載の方法。
Ｄ３．  第２の数は第１の数より大きく、差値が規定値より小さいときに第１の駆動スキームを選択し、差値が規定値以上であるときに第２の駆動スキームを選択することを含む、条項Ｄ２に記載の方法。
Ｄ４．  電気湿潤ディスプレイデバイスは複数のディスプレイ要素を有し、差値は、規定の変化より大きいディスプレイ効果の変化を有するディスプレイ要素の数を表す、条項Ｄ１に記載の方法。
Ｄ５．  差値が規定の数より小さいときに第１の駆動スキームを選択し、差値が規定の数以上であるときに第２の駆動スキームを選択することを含む、条項Ｄ４に記載の方法。
Ｄ６．  電気湿潤ディスプレイデバイスは複数のディスプレイ要素を有し、方法は、ディスプレイ要素のディスプレイ効果の変化をヒストグラムで配列し、ヒストグラムからデータの特性を導出することを含む、条項Ｄ１に記載の方法。
Ｄ７．  ディスプレイ要素にリセットパルスを印加することであって、それにより、ディスプレイ要素内の逆流を低減する、印加することを更に含む、条項Ｄ１に記載の方法。
Ｄ８．  電気湿潤ディスプレイデバイス用のディスプレイコントローラであって、少なくとも１つのプロセッサ及びコンピュータプログラム命令を含む少なくとも１つのメモリを備え、
ディスプレイデバイスは、ディスプレイ効果を表示するための少なくとも１つのディスプレイ要素を含み、
少なくとも１つのメモリ及びコンピュータプログラム命令は、少なくとも１つのプロセッサによって、ディスプレイデバイスを駆動する方法をディスプレイ駆動システムに実施させるように構成され、方法は、
少なくとも１つのディスプレイ要素によって表示するため第１のディスプレイ効果を表すデータを受信すること、
第１のディスプレイ効果の表示に続いて、少なくとも１つのディスプレイ要素によって表示するため第２のディスプレイ効果を表すデータを受信すること、
第１のディスプレイ効果を表すデータ及び第２のディスプレイ効果を表すデータを比較することであって、それにより、ディスプレイ効果の変化を指示する差値を決定する、比較すること、
差値に応じて、少なくとも１つのディスプレイ要素について駆動スキームを選択することであって、駆動スキームは、少なくとも、
ａ）第１の駆動スキームであって、ディスプレイ効果を指示する電圧が、表示期間中に、第１の回数、少なくとも１つのディスプレイ要素に印加される、第１の駆動スキーム、及び、
ｂ）第２の駆動スキームであって、ディスプレイ効果を指示する電圧が、表示期間中に、第２の回数、少なくとも１つのディスプレイ要素に印加され、第２の数は第１の数と異なる、第２の駆動スキーム
から選択される、選択すること、
選択された駆動スキームを使用してディスプレイ要素を駆動することを含む、ディスプレイコントローラ。
Ｄ９．  差値は、少なくとも１つのディスプレイ要素のディスプレイ効果の変化の大きさである、条項Ｄ８に記載のディスプレイコントローラ。
Ｄ１０．  第２の数は第１の数より大きく、方法は、差値が規定値より小さいときに第１の駆動スキームを選択し、差値が規定値以上であるときに第２の駆動スキームを選択することを含む、条項Ｄ９に記載のディスプレイコントローラ。
Ｄ１１．  電気湿潤ディスプレイデバイスは複数のディスプレイ要素を有し、差値は、規定の変化より大きいディスプレイ効果の変化を有するディスプレイ要素の数を表す、条項Ｄ８に記載のディスプレイコントローラ。
Ｄ１２．  差値が規定の数より小さいときに第１の駆動スキームを選択し、差値が規定の数以上であるときに第２の駆動スキームを選択することを含む、条項Ｄ１１に記載のディスプレイコントローラ。
Ｄ１３．  電気湿潤ディスプレイデバイスは複数のディスプレイ要素を有し、方法は、ディスプレイ要素のディスプレイ効果の変化をヒストグラムで配列し、ヒストグラムからデータの特性を導出することを含む、条項Ｄ８に記載のディスプレイコントローラ。
Ｄ１４．  ディスプレイ要素にリセットパルスを印加して、ディスプレイ要素内の電荷の蓄積を低減するように構成される、条項Ｄ８に記載のディスプレイコントローラ。
Ｄ１５．  条項Ｄ８に記載のディスプレイコントローラを含む電気湿潤ディスプレイ装置であって、ディスプレイドライバ及びディスプレイデバイスは少なくとも１つのディスプレイ要素を備える、電気湿潤ディスプレイ装置。
Ｄ１６．  コンピュータプログラム製品であって、非一時的コンピュータ可読記憶媒体であって、非一時的コンピュータ可読記憶媒体上に記憶されたコンピュータ可読命令を有する、非一時的コンピュータ可読記憶媒体を備え、コンピュータ可読命令は、コンピュータ化デバイスによって実行可能であって、ディスプレイ効果を表示するため少なくとも１つのディスプレイ要素を有する電気湿潤ディスプレイデバイスを駆動する方法をコンピュータ化デバイスに実施させ、方法は、
少なくとも１つのディスプレイ要素によって表示するため第１のディスプレイ効果を表すデータを受信すること、
第１のディスプレイ効果の表示に続いて、少なくとも１つのディスプレイ要素によって表示するため第２のディスプレイ効果を表すデータを受信すること、
第１のディスプレイ効果を表すデータ及び第２のディスプレイ効果を表すデータを比較することであって、それにより、ディスプレイ効果の変化を指示する差値を決定する、比較すること、
差値に応じて、少なくとも１つのディスプレイ要素について駆動スキームを選択することであって、駆動スキームは、少なくとも、
ａ）第１の駆動スキームであって、ディスプレイ効果を指示する電圧が、表示期間中に、第１の回数、少なくとも１つのディスプレイ要素に印加される、第１の駆動スキーム、及び、
ｂ）第２の駆動スキームであって、ディスプレイ効果を指示する電圧が、表示期間中に、第２の回数、少なくとも１つのディスプレイ要素に印加され、第２の数は第１の数と異なる、第２の駆動スキーム
から選択される、選択すること、
選択された駆動スキームを使用してディスプレイ要素を駆動することを含む、コンピュータプログラム製品。
Ｄ１７．  差値は、少なくとも１つのディスプレイ要素のディスプレイ効果の変化の大きさを表す、条項Ｄ１６に記載のコンピュータプログラム製品。
Ｄ１８．  第２の数は第１の数より大きく、方法は、差値が規定値より小さいときに第１の駆動スキームを選択し、差値が規定値以上であるときに第２の駆動スキームを選択することを含む、条項Ｄ１７に記載のコンピュータプログラム製品。
Ｄ１９．  電気湿潤ディスプレイデバイスは複数のディスプレイ要素を有し、差値は、規定の変化より大きいディスプレイ効果の変化を有するディスプレイ要素の数を表す、条項Ｄ１６に記載のコンピュータプログラム製品。
Ｄ２０．  方法は、差値が規定の数より小さいときに第１の駆動スキームを選択し、差値が規定の数以上であるときに第２の駆動スキームを選択することを含む、条項Ｄ１９に記載のコンピュータプログラム製品。
【図１】
2017501446.tif 000003
【図２】
2017501446.tif 000004
【図３】
2017501446.tif 000005
【図４】
2017501446.tif 000006
【図５】
2017501446.tif 000007
【図６】
2017501446.tif 000008
【図７】
2017501446.tif 000009
【図８】
2017501446.tif 000010
【図９ａ】
2017501446.tif 000011
【図９ｂ】
2017501446.tif 000012
【図９ｃ】
2017501446.tif 000013
【図１０ａ】
2017501446.tif 000014
【図１０ｂ】
2017501446.tif 000015
【図１１】
2017501446.tif 000016
【図１２】
2017501446.tif 000017
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
電気湿潤ディスプレイデバイスのディスプレイ要素を駆動する方法であって、
前記ディスプレイ要素によって表示するためディスプレイ効果を表すデータを受信すること、
前記ディスプレイ効果を表示するため前記ディスプレイ要素を駆動するための駆動スキームを、前記データの特性に応じて、また、少なくとも、
ａ）ＤＣ駆動スキームであって、前記ディスプレイ効果を示す前記ディスプレイ要素に印加される全ての電圧が同じ極性を有する、ＤＣ駆動スキーム、及び、
ｂ）ＡＣ駆動スキームであって、前記ディスプレイ効果を示すディスプレイ要素に印加される電圧が、異なる極性を有する少なくとも２つの電圧を含む、ＡＣ駆動スキーム
から選択すること、及び、
前記データの前記特性に応じて選択された前記駆動スキームを使用して前記ディスプレイ要素を駆動することを含む、方法。
【請求項２】
前記データの前記特性は、前記ディスプレイ要素を駆動するフレームレートを表し、前記フレームレートは、前記ディスプレイ要素の前記ディスプレイ効果を変更するために前記ディスプレイ要素を連続的にアドレス指定するレートを示す、請求項１に記載の方法。
【請求項３】
前記フレームレートが予め規定されたフレームレートより小さいと判定することを含み、前記駆動スキームを前記選択することは前記ＤＣ駆動スキームを選択することを含み、前記ディスプレイ要素を前記駆動することは、前記ＤＣ駆動スキームを使用して前記ディスプレイ要素を駆動することを含む、請求項２に記載の方法。
【請求項４】
データを前記受信することは、
前記ディスプレイ要素によって表示するため第１のディスプレイ効果を表す第１のディスプレイ効果データを受信すること、及び、
前記第１のディスプレイ効果の表示に続いて、前記ディスプレイ要素によって表示するため第２のディスプレイ効果を表す第２のディスプレイ効果データを受信することを含み、方法は、
前記第１のディスプレイ効果データ及び前記第２のディスプレイ効果データを比較することであって、それにより、前記第１のディスプレイ効果と前記第２のディスプレイ効果との間の変化を指示する差値を決定する、比較することを更に含み、
前記データの前記特性は前記差値を表す、請求項１に記載の方法。
【請求項５】
前記差値は、前記第１のディスプレイ効果と前記第２のディスプレイ効果との間の変化の大きさを表す、請求項４に記載の方法。
【請求項６】
前記電気湿潤ディスプレイデバイスは複数のディスプレイ要素を有し、前記複数のディスプレイ要素は前記ディスプレイ要素を備え、前記差値は、予め規定された変化より大きい前記第１のディスプレイ効果と前記第２のディスプレイ効果との間の前記変化を有する前記複数のディスプレイ要素のディスプレイ要素の数を表す、請求項４に記載の方法。
【請求項７】
前記電気湿潤ディスプレイデバイスは複数のディスプレイ要素を有し、前記複数のディスプレイ要素は前記ディスプレイ要素を備え、方法は、
前記複数のディスプレイ要素の各ディスプレイ要素について前記第１のディスプレイ効果と前記第２のディスプレイ効果との間の前記変化をヒストグラムで配列すること、及び、
前記ヒストグラムから前記データの特性を導出することを更に含む、請求項４に記載の方法。
【請求項８】
前記ディスプレイ要素を前記駆動することは、前記ＤＣ駆動スキームを使用して前記ディスプレイ要素を駆動することを含み、方法は、
前記ディスプレイ要素内の逆流を低減するために前記ディスプレイ要素にリセットパルスを印加することを更に含む、請求項１に記載の方法。
【請求項９】
前記ディスプレイ要素を前記駆動することは、前記ＡＣ駆動スキームを使用して前記ディスプレイ要素を駆動することを含み、前記ディスプレイ効果は、複数のフレームについて前記ディスプレイ要素によって表示するためのディスプレイ効果であり、方法は、
前記少なくとも２つの電圧のうちの第１の電圧であって、第１の極性を有する、第１の電圧を前記ディスプレイ要素に印加すること、及び、
前記複数のフレームの後続のフレームにおいて、前記少なくとも２つの電圧のうちの第２の電圧であって、第１の極性と逆の第２の極性を有する、第２の電圧を前記ディスプレイ要素に印加すること含む、請求項１に記載の方法。
【請求項１０】
電気湿潤ディスプレイデバイスのディスプレイ要素を駆動するためのディスプレイコントローラであって、
少なくとも１つのプロセッサ及びコンピュータプログラム命令を含む少なくとも１つのメモリを備え、
前記少なくとも１つのメモリ及び前記コンピュータプログラム命令は、前記少なくとも１つのプロセッサによって、電気湿潤ディスプレイデバイスを駆動する方法をディスプレイコントローラに実施させるように構成され、
前記方法は、前記ディスプレイ要素によって表示するためディスプレイ効果を表すデータを受信すること、
前記ディスプレイ効果を表示するため前記ディスプレイ要素を駆動するための駆動スキームを、前記データの特性に応じて、また、少なくとも、
ａ）ＤＣ駆動スキームであって、前記ディスプレイ効果を示す前記ディスプレイ要素に印加される全ての電圧が同じ極性を有する、ＤＣ駆動スキーム、及び、
ｂ）ＡＣ駆動スキームであって、前記ディスプレイ効果を示す前記少なくとも１つのディスプレイ要素に印加される電圧が、異なる極性を有する少なくとも２つの電圧を含む、ＡＣ駆動スキームから選択すること、及び、
前記データの前記特性に応じて選択された前記駆動スキームを使用して前記ディスプレイ要素を駆動することを含む、ディスプレイコントローラ。
【請求項１１】
前記データの前記特性は、前記ディスプレイ要素を駆動するフレームレートを表し、前記フレームレートは、前記ディスプレイ要素の前記ディスプレイ効果を変更するために前記ディスプレイ要素を連続的にアドレス指定するレートを示す、請求項１０に記載のディスプレイコントローラ。
【請求項１２】
前記方法は、前記フレームレートが予め規定されたフレームレートより小さいと判定することを含み、前記駆動スキームを前記選択することは前記ＤＣ駆動スキームを選択することを含み、前記ディスプレイ要素を前記駆動することは、前記ＤＣ駆動スキームを使用して前記ディスプレイ要素を駆動することを含む、請求項１１に記載のディスプレイコントローラ。
【請求項１３】
前記データを受信することは、前記ディスプレイ要素によって表示するため第１のディスプレイ効果を表す第１のディスプレイ効果データを受信すること、及び、前記第１のディスプレイ効果の表示に続いて、前記ディスプレイ要素によって表示するため第２のディスプレイ効果を表す第２のディスプレイ効果データを受信することを含み、前記方法は、前記第１のディスプレイ効果データ及び前記第２のディスプレイ効果データを比較して、前記第１のディスプレイ効果と前記第２のディスプレイ効果との間の変化を指示する差値を決定する、ことを更に含み、前記データの前記特性は前記差値を表す、請求項１０に記載のディスプレイコントローラ。
【請求項１４】
前記差値は、前記第１のディスプレイ効果と前記第２のディスプレイ効果との間の変化の大きさを表す、請求項１３に記載のディスプレイコントローラ。
【請求項１５】
前記電気湿潤ディスプレイデバイスは複数のディスプレイ要素を有し、前記複数のディスプレイ要素は前記ディスプレイ要素を備え、前記差値は、予め規定された変化より大きい前記第１のディスプレイ効果と前記第２のディスプレイ効果との間の前記変化を有する前記複数のディスプレイ要素のディスプレイ要素の数を表す、請求項１３に記載のディスプレイコントローラ。
【請求項１６】
前記電気湿潤ディスプレイデバイスは複数のディスプレイ要素を有し、前記複数のディスプレイ要素は前記ディスプレイ要素を備え、前記方法は、前記複数のディスプレイ要素の各ディスプレイ要素について前記第１のディスプレイ効果と前記第２のディスプレイ効果との間の前記変化をヒストグラムで配列すること、及び、前記ヒストグムから前記データの特性を導出することを更に含む、請求項１３に記載のディスプレイコントローラ。
【請求項１７】
前記ディスプレイ要素を前記駆動することが前記ＤＣ駆動スキームを使用して前記ディスプレイ要素を駆動することを含む状態で、前記ディスプレイ要素内の逆流を低減するために前記ディスプレイ要素にリセットパルスを印加するように構成される、請求項１０に記載のディスプレイコントローラ。
【請求項１８】
前記ディスプレイ効果は、複数のフレームについて前記ディスプレイ要素によって表示するためのディスプレイ効果であり、前記ディスプレイコントローラは、前記ディスプレイ要素を前記駆動することが前記ＡＣ駆動スキームを使用して前記ディスプレイ要素を駆動することを含む状態で、前記少なくとも２つの電圧のうちの第１の電圧であって、第１の極性を有する、第１の電圧を前記ディスプレイ要素に印加し、前記複数のフレームの後続のフレームにおいて、前記少なくとも２つの電圧のうちの第２の電圧であって、第１の極性と逆の第２の極性を有する、第２の電圧を前記ディスプレイ要素に印加するように構成される、請求項１０に記載のディスプレイコントローラ。
【請求項１９】
前記フレームレートが予め規定されたフレームレート以上であると判定することを含み、前記駆動スキームを前記選択することは前記ＡＣ駆動スキームを選択することを含み、前記ディスプレイ要素を前記駆動することは前記ＡＣ駆動スキームを使用して前記ディスプレイ要素を駆動することを含む、請求項２に記載の方法。
【請求項２０】
前記方法は、前記フレームレートが予め規定されたフレームレート以上であると判定することを含み、前記駆動スキームを前記選択することは前記ＡＣ駆動スキームを選択することを含み、前記ディスプレイ要素を前記駆動することは前記ＡＣ駆動スキームを使用して前記ディスプレイ要素を駆動することを含む、請求項１１に記載のディスプレイコントローラ。
【請求項２１】
電気湿潤ディスプレイ装置であって、複数のディスプレイ要素を備える電気湿潤ディスプレイデバイスを備え、前記複数のディスプレイ要素は、ディスプレイ要素であって、第１の支持プレート、第２の支持プレート、第１の流体、及び前記第１の流体と非混和性である第２の流体を有し、前記第１の流体及び前記第２の流体は前記第１の支持プレートと前記第２の支持プレートとの間に位置付けられる、前記ディスプレイ要素と、前記第１の流体及び前記第２の流体の構成を変更するための電圧を印加するように構成される少なくとも１つの電極と、前記少なくとも１つの電極に接続され、前記第１の流体及び前記第２の流体の前記構成を変更するための前記電圧を出力するように構成されるディスプレイドライバと、ディスプレイコントローラとを備え、前記ディスプレイコントローラは、少なくとも１つのプロセッサ及びコンピュータプログラム命令を含む少なくとも１つのメモリを備え、前記少なくとも１つのメモリ及び前記コンピュータプログラム命令は、前記少なくとも１つのプロセッサによって、前記ディスプレイ要素を駆動する方法を前記ディスプレイドライバを使用して前記ディスプレイコントローラに実施させるように構成され、前記方法は、前記ディスプレイ要素によって表示するためディスプレイ効果を表すデータを受信すること、前記ディスプレイ効果を表示するため前記ディスプレイ要素を駆動するための駆動スキームを、前記データの特性に応じて、また、少なくとも、
ａ）ＤＣ駆動スキームであって、前記ディスプレイ効果を示す前記ディスプレイ要素に印加される全ての電圧が同じ極性を有する、ＤＣ駆動スキーム、及び、
ｂ）ＡＣ駆動スキームであって、前記ディスプレイ効果を示す前記少なくとも１つのディスプレイ要素に印加される電圧が、異なる極性を有する少なくとも２つの電圧を含む、ＡＣ駆動スキームから選択すること、及び、前記データの前記特性に応じて選択された前記駆動スキームを使用して前記ディスプレイ要素を駆動することを含む、電気湿潤ディスプレイ装置。
【請求項２２】
前記データの前記特性は、前記ディスプレイ要素を駆動するフレームレートを表し、前記フレームレートは、前記ディスプレイ要素の前記ディスプレイ効果を変更するために前記ディスプレイ要素を連続的にアドレス指定するレートを示す、請求項２１に記載の電気湿潤ディスプレイ装置。
【請求項２３】
前記方法は、前記フレームレートが予め規定されたフレームレートより小さいと判定することを含み、前記駆動スキームを前記選択することは前記ＤＣ駆動スキームを選択することを含み、前記ディスプレイ要素を前記駆動することは、前記ＤＣ駆動スキームを使用して前記ディスプレイ要素を駆動することを含む、請求項２２に記載の電気湿潤ディスプレイ装置。
【請求項２４】
前記方法は、前記フレームレートが予め規定されたフレームレート以上であると判定することを含み、前記駆動スキームを前記選択することは前記ＡＣ駆動スキームを選択することを含み、前記ディスプレイ要素を前記駆動することは、前記ＡＣ駆動スキームを使用して前記ディスプレイ要素を駆動することを含む、請求項２２に記載の電気湿潤ディスプレイ装置。
【請求項２５】
前記データを受信することは、前記ディスプレイ要素によって表示するため第１のディスプレイ効果を表す第１のディスプレイ効果データを受信すること、及び、前記第１のディスプレイ効果の表示に続いて、前記ディスプレイ要素によって表示するため第２のディスプレイ効果を表す第２のディスプレイ効果データを受信することを含み、前記方法は、前記第１のディスプレイ効果データ及び前記第２のディスプレイ効果データを比較して、前記第１のディスプレイ効果と前記第２のディスプレイ効果との間の変化を指示する差値を決定すること、を更に含み、前記データの前記特性は前記差値を表す、請求項２１に記載の電気湿潤ディスプレイ装置。
【国際調査報告】
2017501446.tif 000018
2017501446.tif 000019
2017501446.tif 000020